(57)【要約】  アダプタ装置（２００）は、ＴＭＤＳ信号を第１の無線チャンネルを用いてアダプタ装置（３００）に無線送信し、ＤＤＣ下り信号及びＣＥＣ下り信号を、第２の無線チャンネルを用いてアダプタ装置（３００）に無線送信し、ＤＤＣ上り信号及びＣＥＣ上り信号を含む無線信号を第２の無線チャンネルを用いてアダプタ装置（３００）から受信する。アダプタ装置（３００）は、ＴＭＤＳ信号を第１の無線チャンネルを用いて受信し、ＤＤＣ下り信号及びＣＥＣ下り信号を含む無線信号を、第２の無線チャンネルを用いて受信し、ＤＤＣ上り信号及びＣＥＣ上り信号を、第２の無線チャンネルを用いてアダプタ装置（２００）に無線送信する。
2007037379.tif 000002
【特許請求の範囲】
【請求項１】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号を第１の無線チャンネルを用いて第１の無線信号として無線送信する第１の無線通信手段と、
上記ＤＤＣ下り信号及びＣＥＣ下り信号を、第２の無線チャンネルを用いて第２の無線信号として無線送信する一方、上記ＤＤＣ上り信号及びＣＥＣ上り信号を含む第３の無線信号を上記第２の無線チャンネルを用いて受信する第２の無線通信手段とを備えたことを特徴とする無線通信装置。
【請求項２】
上記第２の無線通信手段は、上記ＤＤＣ下り信号及び上記ＣＥＣ下り信号を上記第２の無線信号に時分割多重する一方、上記第３の無線信号を上記ＤＤＣ上り信号及び上記ＣＥＣ上り信号に時分割多重分離する第１の時分割多重分離手段を備えたことを特徴とする請求項１記載の無線通信装置。
【請求項３】
上記第１の時分割多重分離手段は、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする請求項２記載の無線通信装置。
【請求項４】
上記第１の時分割多重分離手段は、上記ＤＤＣ下り信号がＥＤＩＤ（Extended Display Identification Data）情報の読み出し要求信号を含むとき、又は上記ＤＤＣ下り信号が上記ＨＤＭＩ規格に基づくＨＤＣＰ（High-Bandwidth Digital Content Protection）認証処理の下り信号を含むとき、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする請求項２又は３記載の無線通信装置。
【請求項５】
上記第１の無線通信手段は、所定の参照パターンを含むＴＭＤＳ無線テスト信号を、上記第１の無線チャンネルを用いて上記第１の無線信号として第２の無線通信装置に無線送信し、
上記第２の無線通信手段は、上記第２の無線通信装置により検出された上記ＴＭＤＳ無線テスト信号の第１の受信状態に関する第１の評価値を、上記第２の無線チャンネルを用いて上記第３の無線信号として受信し、
上記第１の無線通信装置は、上記第１の評価値に基づいて、上記第１の無線信号の送信パラメータを、上記第１の受信状態が実質的に最良になるように調整する制御手段をさらに備えたことを特徴とする請求項１乃至４のいずれか１つに記載の無線通信装置。
【請求項６】
上記第２の無線通信手段は、所定の参照パターンを含むＤＤＣ／ＣＥＣ無線テスト信号を、上記第２の無線チャンネルを用いて上記第２の無線信号として上記第２の無線通信装置に無線送信し、上記第２の無線通信装置により検出された上記ＤＤＣ／ＣＥＣ無線テスト信号の第２の受信状態に関する第２の評価値を、上記第３の無線信号として上記第２の無線チャンネルを用いて受信し、
上記制御手段は、上記第２の評価値に基づいて、上記第２の受信状態が所定の状態であることを検出したとき、上記第１の無線通信手段を、上記ＴＭＤＳ無線テスト信号を、上記第１の無線チャンネルを用いて上記第１の無線信号として第２の無線通信装置に無線送信するように制御することを特徴とする請求項５記載の無線通信装置。
【請求項７】
上記制御手段は、上記第１の評価値に基づいて、上記第１の受信状態が実質的に最良になったことを検出したとき、上記ＴＭＤＳ信号、ＤＤＣ下り信号及びＣＥＣ下り信号を発生する信号ソース装置に対して、上記ＤＤＣ上り信号及び上記ＣＥＣ上り信号を発生する信号シンク装置との通信を開始させるように制御することを特徴とする請求項５又は６に記載の無線送信装置。
【請求項８】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号を第１の無線チャンネルを用いて第１の無線信号として受信する第３の無線通信手段と、
上記ＤＤＣ下り信号及びＣＥＣ下り信号を含む第２の無線信号を、第２の無線チャンネルを用いて受信する一方、上記ＤＤＣ上り信号及びＣＥＣ上り信号を、上記第２の無線チャンネルを用いて第３の無線信号として無線送信する第４の無線通信手段とを備えたことを特徴とする無線通信装置。
【請求項９】
上記第４の無線通信手段は、上記第２の無線信号を上記ＤＤＣ下り信号及び上記ＣＥＣ下り信号に時分割多重分離する一方、上記ＤＤＣ上り信号及び上記ＣＥＣ上り信号を上記第３の無線信号に時分割多重する第２の時分割多重分離手段を備えたことを特徴とする請求項８記載の無線通信装置。
【請求項１０】
上記第２の時分割多重分離手段は、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする請求項９記載の無線通信装置。
【請求項１１】
上記第２の時分割多重分離手段は、上記ＤＤＣ上り信号がＥＤＩＤ（Extended Display Identification Data）情報を含むとき、又は上記ＤＤＣ上り信号が上記ＨＤＭＩ規格に基づくＨＤＣＰ（High-Bandwidth Digital Content Protection）認証処理の上り信号を含むとき、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする請求項９又は１０記載の無線通信装置。
【請求項１２】
上記第３の無線通信手段は、所定の参照パターンを含むＴＭＤＳ無線テスト信号を含む上記第１の無線信号を上記第１の無線チャンネルを用いて受信し、
上記第２の無線通信装置は、上記ＴＭＤＳ無線テスト信号の第１の受信状態に関する第１の評価値を検出して出力する制御手段をさらに備え、
上記第４の無線通信手段は、上記第１の評価値を上記第２の無線チャンネルを用いて上記第３の無線信号として無線送信することを特徴とする請求項８乃至１１のうちのいずれか１つに記載の無線通信装置。
【請求項１３】
上記第４の無線通信手段は、所定の参照パターンを含むＤＤＣ／ＣＥＣ無線テスト信号を含む上記第２の無線信号を上記第２の無線チャンネルを用いて受信し、
上記制御手段は、上記ＤＤＣ／ＣＥＣ無線テスト信号の第２の受信状態に関する第２の評価値を検出して出力し、
上記第４の無線通信手段は、上記第２の評価値を上記第２の無線チャンネルを用いて上記第３の無線信号として無線送信することを特徴とする請求項１２記載の無線通信装置。
【請求項１４】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号、ＤＤＣ下り信号及びＣＥＣ下り信号を第１の無線チャンネルを用いて第１の無線信号として無線送信する第１の無線通信手段と、
上記ＤＤＣ上り信号及びＣＥＣ上り信号を含む第２の無線信号を第２の無線チャンネルを用いて受信する第２の無線通信手段とを備えたことを特徴とする無線通信装置。
【請求項１５】
上記ＴＭＤＳ信号はディジタル映像信号、ディジタル音声信号及び補助データを含み、
上記第１の無線通信手段は、上記ＤＤＣ下り信号及びＣＥＣ下り信号を上記ディジタル映像信号の帰線期間に上記ディジタル音声信号及び上記補助データと重ならないように多重化することにより、上記ＴＭＤＳ信号、ＤＤＣ下り信号及びＣＥＣ下り信号を上記第１の無線信号に時分割多重する時分割多重分離手段を備えたことを特徴とする請求項１４記載の無線通信装置。
【請求項１６】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号、ＤＤＣ下り信号及びＣＥＣ下り信号を含む第１の無線信号を、第１の無線チャンネルを用いて受信する第３の無線通信手段と、
上記ＤＤＣ上り信号及びＣＥＣ上り信号を第２の無線チャンネルを用いて第２の無線信号として無線送信する第４の無線通信手段とを備えたことを特徴とする無線通信装置。
【請求項１７】
請求項１乃至７のうちのいずれか１つに記載の無線通信装置である第１の無線通信装置と、請求項８乃至１３のうちのいずれか１つに記載の無線通信装置である第２の無線通信装置とを備えたことを特徴とする無線伝送システム。
【請求項１８】
請求項１４又は１５に記載の無線通信装置である第１の無線通信装置と、請求項１６に記載の無線通信装置である第２の無線通信装置とを備えたことを特徴とする無線伝送システム。
【発明の詳細な説明】
【技術分野】
【０００１】
本発明は、無線通信装置及び無線伝送システムに関し、特に、ＤＶＤプレーヤやセットトップボックスなどの信号ソース装置が再生し出力する非圧縮のベースバンド映像信号やディジタル音声信号を、ディジタルテレビなどの信号シンク装置に無線伝送するための無線通信装置及び無線伝送システムに関する。
【背景技術】
【０００２】
１本のケーブルで、非圧縮のベースバンド映像信号とディジタル音声信号を伝送できる、次世代ディジタルテレビ向けのインターフェース規格であるＨＤＭＩ（High Definition Multimedia Interface）規格を採用したＡＶ機器が市場に普及し始めている（例えば、特許文献１及び２参照。）。従来はＡＶ機器どうしを接続するために、映像信号や音声信号等の信号毎に伝送用ケーブルを使用する必要があったが、ＨＤＭＩ規格を採用したＡＶ機器どうしはＨＤＭＩ規格に準拠したディジタルデータ伝送バスである１本のＨＤＭＩケーブルのみで接続できるため、ＡＶ機器間の配線を従来に比較して極めてシンプルにできる利点がある。また、ＨＤＭＩケーブルを介して伝送されるデータはディジタルデータであるので、ノイズに強く高画質化が行える利点がある。さらに、ＨＤＭＩケーブルを介してコントロール信号を双方向に伝送できるので、ディジタルテレビジョン装置とＤＶＤプレーヤを連動させることや、複数のＡＶ機器をＨＤＭＩケーブルを用いて接続してホームシアターを構成し、ホームシアター全体の動作を制御することができる。【０００３】
ＨＤＭＩ規格に準拠した信号を送受信する信号ソース装置であるＨＤＭＩソース装置と、ＨＤＭＩ規格に準拠した信号を送受信する信号シンク装置であるＨＤＭＩシンク装置とを備えて構成される従来技術に係るＨＤＭＩシステムの概要を説明する。ＨＤＭＩシステムにおいて、ＤＶＤプレーヤやセットトップボックス等のＨＤＭＩソース装置と、液晶表示装置やディジタルテレビジョン装置等のＨＤＭＩシンク装置とは、１本のＨＤＭＩケーブルで接続される。ＨＤＭＩソース装置は送信回路を備え、ＨＤＭＩシンク装置は受信回路及びＥＤＩＤ（Extended Display Identification Data）メモリを備える。ここで、ＥＤＩＤメモリは、ＨＤＭＩシンク装置の識別情報、映像出力仕様及び音声出力仕様等のコンフィグレーション情報であるＥＤＩＤを予め格納する。【０００４】
ＨＤＭＩケーブルは、３つのＴＭＤＳ（Transition Minimized Differential Signaling）チャンネルと、ＴＭＤＳクロックチャンネルと、ＤＤＣ（Display Data Channel）チャンネルと、ＣＥＣ（Consumer Electronics Control）ラインとを含む。【０００５】
ＤＤＣチャンネルは、ＨＤＭＩソース装置からＨＤＭＩシンク装置へ伝送されるＤＤＣ下り信号及びＨＤＭＩシンク装置からＨＤＭＩソース装置へ伝送されるＤＤＣ上り信号を伝送するための伝送路である。ＨＤＭＩソース装置は、ＤＤＣチャンネルを介してＨＤＭＩシンク装置のＥＤＩＤを読み出した後に、ＥＤＩＤから読み出したＨＤＭＩシンク装置の映像出力仕様を有するベースバンド映像信号、ＨＤＭＩシンク装置の音声出力仕様を有するディジタル音声信号及び補助データを発生して、詳細後述するように３つのＴＭＤＳチャンネルを介してＨＤＭＩシンク装置に送信する。また、ＨＤＣＰ（High-Bandwidth Digital Content Protection）によるコンテンツ保護が行われている場合には、ＤＤＣチャンネルはＨＤＣＰ認証処理及び定期的な暗号鍵の交換に使用される。【０００６】
一方、ＣＥＣラインは、ＨＤＭＩソース装置とＨＤＭＩシンク装置とを連動して動作するように制御するために、ＨＤＭＩソース装置からＨＤＭＩシンク装置へ伝送されるＣＥＣ下り信号及びＨＤＭＩシンク装置からＨＤＭＩソース装置へ伝送されるＣＥＣ上り信号を伝送する伝送路である。例えば、ＨＤＭＩソース装置がＤＶＤレコーダであり、ＨＤＭＩシンク装置がディジタルテレビジョン装置である場合、ディジタルテレビジョン装置で受信したテレビジョン放送信号を再生してディジタルテレビジョン装置のディスプレイに出力して表示しているときに、ＤＶＤレコーダによるコンテンツの再生が開始されたときに、自動的にディスプレイへの入力切替えを行い、ＤＶＤレコーダが出力する映像音声データをディスプレイに表示させる制御を行うことができる。また、ディジタルテレビジョン装置で受信したテレビジョン放送信号を再生しているときに、ユーザのリモコン操作１つでＤＶＤレコーダによる番組の録画を開始させる制御を行うことができる。【０００７】
また、３つのＴＭＤＳチャンネルは、映像データ、音声データ及び補助データを含むＴＭＤＳ信号を、ＨＤＭＩソース装置からＨＤＭＩシンク装置に伝送するための伝送路である。はじめにＲＧＢ方式又はＹＣｂＣｒ方式等の所定の仕様を有する２４ビット／ピクセルのベースバンド映像信号、サンプルレートが３２ｋＨｚ、４４．１ｋＨｚ又は４８ｋＨｚのＩＥＣ６０９５８方式のオーディオストリーム、サンプルレート１９２ｋＨｚまでの１チャンネルのオーディオストリーム、サンプルレート９６ｋＨｚまでの２チャンネルから４チャンネルまでのオーディオストリーム又は、サンプルレート１９２ｋＨｚまでの圧縮されたＩＥＣ６１９３７フォーマットのオーディオストリーム等の所定の仕様を有するディジタル音声信号、及び映像信号の水平同期信号及び垂直同期信号と、オーディオのクロック情報やInfoFrames（EIA/CEA-861B方式）等を含む補助データが、それぞれＨＤＭＩソース装置の送信回路に入力される。【０００８】
次に、送信回路は、ベースバンド映像信号と、水平同期信号及び垂直同期信号と、ディジタル音声信号と、補助データとを映像信号の帰線期間に時分割多重する。ここで、ディジタル音声信号や補助データにはパケット構造が使用される。さらに、コンテンツの著作権保護の必要がある場合は、ベースバンド映像信号と、ディジタル音声信号と補助データに対して、ＨＤＣＰによる暗号化処理を行う。次いで、ベースバンド映像信号に対して、８ビットデータ毎に１０ビットデータに変換する８Ｂ１０Ｂ変換処理を行う。一方、ディジタル音声信号及び補助データに対して、ＢＣＨ誤り訂正処理及び４ビットデータ毎に１０ビットデータに変換する４Ｂ１０Ｂ変換処理を行う。さらに、変換後の１０ビットデータに対してパラレル・シリアル変換を行い、ＴＭＤＳ信号を発生して、３つのＴＭＤＳチャンネルを介してＨＤＭＩシンク装置に出力する。さらに、ピクセルクロック信号を、ＴＭＤＳクロックチャンネルを介してＨＤＭＩシンク装置に出力する。ここで、ピクセルレートは２５ＭＨｚから１６５ＭＨｚの範囲のレート値であり、各ＴＭＤＳチャンネルの各伝送レートに対して１／１０である。【０００９】
ＨＤＭＩシンク装置の受信回路は、３つのＴＭＤＳチャンネルからのＴＭＤＳ信号を、ＴＭＤＳクロックチャンネルからのピクセルクロック信号に同期してシリアル・パラレル変換することによりデコードする。さらに、コンテンツが暗号化されている場合は、ＨＤＣＰ復号化処理を行い、ベースバンド映像信号と、ディジタル音声信号と、映像信号の水平同期信号と、映像信号の垂直同期信号と、補助データとを発生する。【００１０】
特許文献１は、ＴＭＤＳ信号に含まれる非圧縮のベースバンド映像信号及びディジタル音声信号を、光無線通信によって伝送する伝送システムを開示している。【００１１】
【特許文献１】特開２００５−１０２１６１号公報。
【特許文献２】特開２００４−３０４２２０号公報。
【発明の開示】
【発明が解決しようとする課題】
【００１２】
しかしながら、上記の従来技術に係るＨＤＭＩシステムでは、ＨＤＭＩソース装置が壁掛けタイプのテレビジョン装置や天井に設置されたプロジェクタ装置である場合には、ＨＤＭＩソース装置とＨＤＭＩシンク装置とを接続するＨＤＭＩケーブルを壁伝いに配線しなければならず手間がかかり外観上も好ましくないという問題があった。また、機器どうしを接続するＨＤＭＩケーブルの長さによって、機器の設置場所や取り回し範囲が制約をうけるという問題があった。さらに、ＡＶ機器の操作に不慣れなユーザにとっては、複数あるＡＶ機器どうしをそれぞれ正しくケーブル接続することが難しかった。【００１３】
また、特許文献１は、非圧縮のベースバンド映像信号及びディジタル音声信号を光無線通信によって伝送する伝送システムを開示しているが、ＤＤＣチャンネルやＣＥＣラインを介して伝送される各信号を伝送するためのケーブルを用いてＡＶ機器どうしを接続する必要があり、従来技術に係るＨＤＭＩシステムと同様の問題を有していた。【００１４】
本発明の目的は以上の問題を解決し、従来技術に比較してＨＤＭＩソース装置及びＨＤＭＩシンク装置の設置場所の自由度を高めることができ、ＨＤＭＩソース装置とＨＤＭＩシンク装置との間の接続を、ＨＤＭＩケーブルを用いることなく簡単化できる無線通信装置及びそれを用いた無線伝送システムを提供することにある。
【課題を解決するための手段】
【００１５】
第１の発明に係る無線通信装置は、ＴＭＤＳ信号、ＤＤＣ下り信号及びＣＥＣ下り信号を含みＨＤＭＩ規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号を第１の無線チャンネルを用いて第１の無線信号として無線送信する第１の無線通信手段と、
上記ＤＤＣ下り信号及びＣＥＣ下り信号を、第２の無線チャンネルを用いて第２の無線信号として無線送信する一方、上記ＤＤＣ上り信号及びＣＥＣ上り信号を含む第３の無線信号を上記第２の無線チャンネルを用いて受信する第２の無線通信手段とを備えたことを特徴とする。【００１６】
上記無線通信装置において、上記第２の無線通信手段は、上記ＤＤＣ下り信号及び上記ＣＥＣ下り信号を上記第２の無線信号に時分割多重する一方、上記第３の無線信号を上記ＤＤＣ上り信号及び上記ＣＥＣ上り信号に時分割多重分離する第１の時分割多重分離手段を備えたことを特徴とする。【００１７】
また、上記無線通信装置において、上記第１の時分割多重分離手段は、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする。【００１８】
さらに、上記無線通信装置において、上記第１の時分割多重分離手段は、上記ＤＤＣ下り信号がＥＤＩＤ情報の読み出し要求信号を含むとき、又は上記ＤＤＣ下り信号が上記ＨＤＭＩ規格に基づくＨＤＣＰ認証処理の下り信号を含むとき、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする。【００１９】
またさらに、上記無線通信装置において、上記第１の無線通信手段は、所定の参照パターンを含むＴＭＤＳ無線テスト信号を、上記第１の無線チャンネルを用いて上記第１の無線信号として第２の無線通信装置に無線送信し、
上記第２の無線通信手段は、上記第２の無線通信装置により検出された上記ＴＭＤＳ無線テスト信号の第１の受信状態に関する第１の評価値を、上記第２の無線チャンネルを用いて上記第３の無線信号として受信し、
上記第１の無線通信装置は、上記第１の評価値に基づいて、上記第１の無線信号の送信パラメータを、上記第１の受信状態が実質的に最良になるように調整する制御手段をさらに備えたことを特徴とする。【００２０】
また、上記無線通信装置において、上記第２の無線通信手段は、所定の参照パターンを含むＤＤＣ／ＣＥＣ無線テスト信号を、上記第２の無線チャンネルを用いて上記第２の無線信号として上記第２の無線通信装置に無線送信し、上記第２の無線通信装置により検出された上記ＤＤＣ／ＣＥＣ無線テスト信号の第２の受信状態に関する第２の評価値を、上記第３の無線信号として上記第２の無線チャンネルを用いて受信し、
上記制御手段は、上記第２の評価値に基づいて、上記第２の受信状態が所定の状態であることを検出したとき、上記第１の無線通信手段を、上記ＴＭＤＳ無線テスト信号を、上記第１の無線チャンネルを用いて上記第１の無線信号として第２の無線通信装置に無線送信するように制御することを特徴とする。【００２１】
さらに、上記無線通信装置において、上記制御手段は、上記第１の評価値に基づいて、上記第１の受信状態が実質的に最良になったことを検出したとき、上記ＴＭＤＳ信号、ＤＤＣ下り信号及びＣＥＣ下り信号を発生する信号ソース装置に対して、上記ＤＤＣ上り信号及び上記ＣＥＣ上り信号を発生する信号シンク装置との通信を開始させるように制御することを特徴とする。【００２２】
第２の発明に係る無線通信装置は、ＴＭＤＳ信号、ＤＤＣ下り信号及びＣＥＣ下り信号を含みＨＤＭＩ規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号を第１の無線チャンネルを用いて第１の無線信号として受信する第３の無線通信手段と、
上記ＤＤＣ下り信号及びＣＥＣ下り信号を含む第２の無線信号を、第２の無線チャンネルを用いて受信する一方、上記ＤＤＣ上り信号及びＣＥＣ上り信号を、上記第２の無線チャンネルを用いて第３の無線信号として無線送信する第４の無線通信手段とを備えたことを特徴とする。【００２３】
上記無線通信装置において、上記第４の無線通信手段は、上記第２の無線信号を上記ＤＤＣ下り信号及び上記ＣＥＣ下り信号に時分割多重分離する一方、上記ＤＤＣ上り信号及び上記ＣＥＣ上り信号を上記第３の無線信号に時分割多重する第２の時分割多重分離手段を備えたことを特徴とする。【００２４】
また、上記無線通信装置において、上記第２の時分割多重分離手段は、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする。【００２５】
またさらに、上記無線通信装置において、上記第２の時分割多重分離手段は、上記ＤＤＣ上り信号がＥＤＩＤ情報を含むとき、又は上記ＤＤＣ上り信号が上記ＨＤＭＩ規格に基づくＨＤＣＰ認証処理の上り信号を含むとき、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする。【００２６】
また、上記無線通信装置において、上記第３の無線通信手段は、所定の参照パターンを含むＴＭＤＳ無線テスト信号を含む上記第１の無線信号を上記第１の無線チャンネルを用いて受信し、
上記第２の無線通信装置は、上記ＴＭＤＳ無線テスト信号の第１の受信状態に関する第１の評価値を検出して出力する制御手段をさらに備え、
上記第４の無線通信手段は、上記第１の評価値を上記第２の無線チャンネルを用いて上記第３の無線信号として無線送信することを特徴とする。【００２７】
またさらに、上記無線通信装置において、上記第４の無線通信手段は、所定の参照パターンを含むＤＤＣ／ＣＥＣ無線テスト信号を含む上記第２の無線信号を上記第２の無線チャンネルを用いて受信し、
上記制御手段は、上記ＤＤＣ／ＣＥＣ無線テスト信号の第２の受信状態に関する第２の評価値を検出して出力し、
上記第４の無線通信手段は、上記第２の評価値を上記第２の無線チャンネルを用いて上記第３の無線信号として無線送信することを特徴とする。【００２８】
第３の発明に係る無線通信装置は、ＴＭＤＳ信号、ＤＤＣ下り信号及びＣＥＣ下り信号を含みＨＤＭＩ規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号、ＤＤＣ下り信号及びＣＥＣ下り信号を第１の無線チャンネルを用いて第１の無線信号として無線送信する第１の無線通信手段と、
上記ＤＤＣ上り信号及びＣＥＣ上り信号を含む第２の無線信号を第２の無線チャンネルを用いて受信する第２の無線通信手段とを備えたことを特徴とする。【００２９】
上記無線通信装置において、上記ＴＭＤＳ信号はディジタル映像信号、ディジタル音声信号及び補助データを含み、
上記第１の無線通信手段は、上記ＤＤＣ下り信号及びＣＥＣ下り信号を上記ディジタル映像信号の帰線期間に上記ディジタル音声信号及び上記補助データと重ならないように多重化することにより、上記ＴＭＤＳ信号、ＤＤＣ下り信号及びＣＥＣ下り信号を上記第１の無線信号に時分割多重する時分割多重分離手段を備えたことを特徴とする請求項１４記載の無線通信装置。【００３０】
第４の発明に係る無線通信装置は、ＴＭＤＳ信号、ＤＤＣ下り信号及びＣＥＣ下り信号を含みＨＤＭＩ規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号、ＤＤＣ下り信号及びＣＥＣ下り信号を含む第１の無線信号を、第１の無線チャンネルを用いて受信する第３の無線通信手段と、
上記ＤＤＣ上り信号及びＣＥＣ上り信号を第２の無線チャンネルを用いて第２の無線信号として無線送信する第４の無線通信手段とを備えたことを特徴とする無線通信装置。【００３１】
第５の発明に係る無線伝送システムは、上記の第１の発明に係る第１の無線通信装置と上記の第２の発明に係る第２の無線通信装置とを備えたことを特徴とする。【００３２】
第６の発明に係る無線伝送システムは、上記の第３の発明に係る第１の無線通信装置と上記の第４の発明に係る第２の無線通信装置とを備えたことを特徴とする。
【発明の効果】
【００３３】
第１の発明に係る第１の無線通信装置によれば、ＴＭＤＳ信号を第１の無線チャンネルを用いて第１の無線信号として無線送信する第１の無線通信手段と、ＤＤＣ下り信号及びＣＥＣ下り信号を、第２の無線チャンネルを用いて第２の無線信号として無線送信する一方、ＤＤＣ上り信号及びＣＥＣ上り信号を含む第３の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。【００３４】
また、第２の発明に係る第２の無線通信装置によれば、ＴＭＤＳ信号を第１の無線チャンネルを用いて第１の無線信号として受信する第３の無線通信手段と、ＤＤＣ下り信号及びＣＥＣ下り信号を含む第２の無線信号を、第２の無線チャンネルを用いて受信する一方、ＤＤＣ上り信号及びＣＥＣ上り信号を、第２の無線チャンネルを用いて第３の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。【００３５】
さらに、第３の発明に係る第１の無線通信装置によれば、ＴＭＤＳ信号、ＤＤＣ下り信号及びＣＥＣ下り信号を第１の無線チャンネルを用いて第１の無線信号として無線送信する第１の無線通信手段と、ＤＤＣ上り信号及びＣＥＣ上り信号を含む第２の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。【００３６】
またさらに、第４の発明に係る第２の無線通信装置によれば、ＴＭＤＳ信号、ＤＤＣ下り信号及びＣＥＣ下り信号を含む第１の無線信号を、第１の無線チャンネルを用いて受信する第３の無線通信手段と、ＤＤＣ上り信号及びＣＥＣ上り信号を第２の無線チャンネルを用いて第２の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。【００３７】
さらに、第５の発明に係る無線伝送システムによれば、上記の第１の発明に係る第１の無線通信装置及び第２の発明に係る第２の無線通信装置を備える。従って、第１の無線通信装置をＨＤＭＩソース装置に接続し、第２の無線通信装置をＨＤＭＩシンク装置に接続することにより、ＨＤＭＩシンク装置によって発生されたＤＤＣ上り信号及びＣＥＣ上り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。【００３８】
さらに、第６の発明に係る無線伝送システムによれば、上記の第３の発明に係る第１の無線通信装置及び第４の発明に係る第２の無線通信装置を備える。従って、第１の無線通信装置をＨＤＭＩソース装置に接続し、第２の無線通信装置をＨＤＭＩシンク装置に接続することにより、ＨＤＭＩシンク装置によって発生されたＤＤＣ上り信号及びＣＥＣ上り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。
【図面の簡単な説明】
【００３９】
【図１】本発明の第１の実施形態に係るＤＶＤプレーヤ１００と、アダプタ装置２００及び３００と、ＰＤＰ装置４００とを含む無線伝送システムの構成を示すブロック図である。
【図２】図１のＤＶＤプレーヤ１００及びアダプタ装置２００の構成を示すブロック図である。
【図３】図１のアダプタ装置３００及びＰＤＰ装置４００の構成を示すブロック図である。
【図４】図１の無線伝送システムの周波数スペクトラムを示す図である。
【図５】図４のＴＭＤＳ無線チャンネル８１ａ又は８１ｂを用いて伝送される信号のタイミングを示すタイミングチャートである。
【図６】図４のＤＤＣ／ＣＥＣ無線チャンネル８２を用いて伝送される信号のタイミングを示すタイミングチャートである。
【図７】図１の無線伝送システムの第１の動作例を示すシーケンス図である。
【図８】図１の無線伝送システムの第２の動作例を示すシーケンス図である。
【図９】本発明の第２の実施形態に係るＤＶＤプレーヤ１００と、アダプタ装置２００Ａ及び３００Ａと、ＰＤＰ装置４００とを含む無線伝送システムの構成を示すブロック図である。
【図１０】図９のＤＶＤプレーヤ１００及びアダプタ装置２００Ａの構成を示すブロック図である。
【図１１】図９のアダプタ装置３００Ａ及びＰＤＰ装置４００の構成を示すブロック図である。
【図１２】図９の無線伝送システムの周波数スペクトラムを示す図である。
【図１３】図１２のＴＭＤＳ／ＤＤＣ／ＣＥＣ無線チャンネル８４ａ又は８４ｂを用いて伝送される信号の伝送フォーマットを示す図である。
【図１４】図１２のＤＤＣ／ＣＥＣ無線上りチャンネル８３を用いて伝送される信号のタイミングを示すタイミングチャートである。
【符号の説明】
【００４０】
２０，２０Ａ，５０，５０Ａ…コントローラ、
２１，５１…ＴＭＤＳインターフェース、
２２，６３…変調器、
２３，６４…無線送信回路、
２４，３１，５４，６１…アンテナ、
２５，５５…ＤＤＣインターフェース、
２６，５６…ＣＥＣインターフェース、
２７，２７Ａ，５７，５７Ａ…時分割多重分離器、
２８，２８Ａ，５８，５８Ａ…バッファメモリ、
２９，５９…変復調器、
３０，６０…無線通信回路、
３２…ＴＭＤＳ多重回路、
３３，５２…復調器、
３４，５３…無線受信回路、
６２…ＴＭＤＳ分離回路、
８１ａ，８１ｂ…ＴＭＤＳ無線チャンネル、
８２…ＤＤＣ／ＣＥＣ無線チャンネル、
１００…ＤＶＤプレーヤ、
１１０…コントローラ、
１１１…ＨＤＣＰ認証レジスタ、
１１２…デコーダ、
１１３…ＤＶＤドライブ、
１１４…ＤＶＤ、
１１５…インターフェース、
２００，２００Ａ，３００，３００Ａ…アダプタ装置、
４００…ＰＤＰ装置、
４１０…コントローラ、
４１１…ＣＰＵ、
４１２…ＲＡＭ、
４１３…ＲＯＭ、
４１４…ＥＤＩＤメモリ、
４１５…バス、
４５０…インターフェース、
４５１…映像信号処理回路、
４５２…ディスプレイ、
４５３…音声信号処理回路、
４５４…スピーカ、
５０１，５０２…ＨＤＭＩケーブル、
５０１ａ，５０２ａ…ＴＭＤＳチャンネル、
５０１ｂ，５０２ｂ…ＴＭＤＳクロックチャンネル、
５０１ｃ，５０２ｃ…ＤＤＣチャンネル、
５０１ｄ，５０２ｄ…ＣＥＣライン、
５０１ｅ，５０２ｅ…ＨＰＤライン。
【発明を実施するための最良の形態】
【００４１】
以下、本発明に係る実施形態について図面を参照して説明する。なお、同様の構成要素については同一の符号を付している。【００４２】
第１の実施形態．
図１は、本発明の第１の実施形態に係るＤＶＤプレーヤ１００と、アダプタ装置２００及び３００と、ＰＤＰ（Plasma Display Panel）装置４００とを含む無線伝送システムの構成を示すブロック図である。また、図２は、図１のＤＶＤプレーヤ１００及びアダプタ装置２００の構成を示すブロック図であり、図３は、図１のアダプタ装置３００及びＰＤＰ装置４００の構成を示すブロック図である。さらに、図４は、図１の無線伝送システムの周波数スペクトラムを示す図である。【００４３】
図１において、ＤＶＤプレーヤ１００は、ＴＭＤＳ（Transition Minimized Differential Signaling)信号、ＤＤＣ（Display Data Channel）下り信号及びＣＥＣ（Consumer Electronics Control）下り信号を含みＨＤＭＩ（High Definition Multimedia Interface）規格に準拠した送信信号を発生して送信し、ＤＤＣ上り信号及びＣＥＣ上り信号を含みＨＤＭＩ規格に準拠した受信信号を受信するＨＤＭＩソース装置であり、ＨＤＭＩ規格に準拠したディジタルデータ伝送バスであるＨＤＭＩケーブル５０１を介してアダプタ装置２００に接続される。また、アダプタ装置２００は、アダプタ装置２００のアンテナ２４及び３１及びアダプタ装置３００のアンテナ５４及び６１を介してアダプタ装置３００に無線接続され、詳細後述するように、ＤＶＤプレーヤ１００からのＴＭＤＳ信号、ＤＤＣ下り信号及びＣＥＣ下り信号を、アダプタ装置３００に無線送信する一方、アダプタ装置３００からのＤＤＣ上り信号及びＣＥＣ上り信号を含む無線信号を受信する。さらに、アダプタ装置３００は、詳細後述するように、アダプタ装置２００からのＴＭＤＳ信号、ＤＤＣ下り信号及びＣＥＣ下り信号を受信する一方、ＰＤＰ装置４００からのＤＤＣ上り信号及びＣＥＣ上り信号を、アダプタ装置２００に無線送信する。またさらに、アダプタ装置３００は、ＨＤＭＩ規格に準拠したディジタルデータ伝送バスであるＨＤＭＩケーブル５０２を介して、ＰＤＰ装置４００に接続される。ここで、ＰＤＰ装置４００は、ＴＭＤＳ信号、ＤＤＣ下り信号及びＣＥＣ下り信号を含みＨＤＭＩ規格に準拠した受信信号を受信し、ＤＤＣ上り信号及びＣＥＣ上り信号を含みＨＤＭＩ規格に準拠した送信信号を送信するＨＤＭＩシンク装置である。【００４４】
ここで、本明細書において、ＤＶＤプレーヤ１００からアダプタ装置２００に伝送される信号、アダプタ装置２００からアダプタ装置３００に伝送される信号、及びアダプタ装置３００からＰＤＰ装置４００に伝送される信号をそれぞれ下り信号と呼び、ＰＤＰ装置４００からアダプタ装置３００に伝送される信号、アダプタ装置３００からアダプタ装置２００に伝送される信号、及びアダプタ装置２００からＤＶＤプレーヤ１００に伝送される信号をそれぞれ上り信号と呼ぶ。【００４５】
また、図１において、ＤＶＤプレーヤ１００によって詳細後述するように発生されたＴＭＤＳ信号は、アダプタ装置２００、アンテナ２４及び５４、及びアダプタ装置３００を介してＰＤＰ装置４００に伝送される。ここで、アンテナ２４とアンテナ５４との間の無線通信は、図４のＴＭＤＳ無線チャンネル８１ａ又は８１ｂを用いて単向方式（One-Way）で行われる。また、ＤＶＤプレーヤ１００によって詳細後述するように発生されたＤＤＣ下り信号及びＣＥＣ下り信号はそれぞれ、アダプタ装置２００、アンテナ３１及び６１、及びアダプタ装置３００を介してＰＤＰ装置４００に伝送される一方、ＰＤＰ装置４００によって詳細後述するように発生されたＤＤＣ上り信号及びＣＥＣ上り信号はそれぞれ、アダプタ装置３００、アンテナ６１及び３１、及びアダプタ装置２００を介してＤＶＤプレーヤ１００に伝送される。ここで、アンテナ３１とアンテナ６１との間の無線通信は、図４のＤＤＣ／ＣＥＣ無線チャンネル８２を用いて単信方式（Simplex）で行われる。なお、ＤＤＣ／ＣＥＣ無線チャンネル８２とＴＭＤＳ無線チャンネル８１ａ及び８１ｂとは互いに周波数が異なるように周波数多重される。なお、これらは時分割多重されてもよい。【００４６】
図２において、ＨＤＭＩケーブル５０１は、３つのＴＭＤＳチャンネル５０１ａと、ＴＭＤＳクロックチャンネル５０１ｂと、ＤＤＣチャンネル５０１ｃと、ＣＥＣライン５０１ｄと、ＨＰＤ（Hot Plug Detect）ライン５０１ｅとを含む。また、図３において、ＨＤＭＩケーブル５０２は、３つのＴＭＤＳチャンネル５０２ａと、ＴＭＤＳクロックチャンネル５０２ｂと、ＤＤＣチャンネル５０２ｃと、ＣＥＣライン５０２ｄと、ＨＰＤライン５０２ｅとを含む。【００４７】
図２において、ＤＶＤプレーヤ１００は、コントローラ１１０と、デコーダ１１２と、ＤＶＤドライブ１１３と、ＤＶＤ１１４と、インターフェース１１５とを備えて構成される。コントローラ１１０は、ＤＶＤプレーヤ１００の全体の動作を制御するためのコントローラである。ここで、コントローラ１１０は、アダプタ装置２００及び３００を介してＰＤＰ装置４００を認証するためのＨＤＭＩ規格に準拠したＨＤＣＰ（High-Bandwidth Digital Content Protection）認証処理を行うときに、ＰＤＰ装置４００からの認証証明書を書き込むためのＨＤＣＰ認証レジスタ１１１を含む。【００４８】
また、ＤＶＤプレーヤ１００において、インターフェース１１５は、コントローラ１１０から入力される信号に対して、アダプタ装置２００とのインターフェース処理を実行して、ＨＤＭＩ規格に準拠する信号を発生して、ＨＤＭＩケーブル５０１を介してアダプタ装置２００に出力する一方、アダプタ装置２００からＨＤＭＩケーブル５０１を介して入力される信号を受信して、信号変換やプロトコル変換を含む所定のインターフェース処理を実行してコントローラ１１０に出力する。【００４９】
さらに、ＤＶＤプレーヤ１００において、デコーダ１１２の動作はコントローラ１１０によって制御される。デコーダ１１２は、ＤＶＤ１１４に格納されたコンテンツをＤＶＤドライブ１１３を用いて再生して、映像データ、音声データ、映像信号の水平同期信号及び垂直同期信号、及び補助データを発生してコントローラ１１０に出力する。【００５０】
コントローラ１１０は、デコーダ１１２からの映像データ、音声データ、映像信号の水平同期信号及び垂直同期信号、及び補助データに基づいて、ディジタル映像信号、ディジタル音声信号及び補助データを含むＴＭＤＳ信号及びピクセルクロック信号を発生して、ＴＭＤＳ信号をＨＤＭＩケーブル５０１のＴＭＤＳチャンネル５０１ａを介してアダプタ装置２００に出力するとともに、ピクセルクロック信号をＨＤＭＩケーブル５０１のＴＭＤＳクロックチャンネル５０１ｂを介してアダプタ装置２００に出力する。また、コントローラ１１０は、ＰＤＰ装置４００へのＥＤＩＤ（Extended Display Identification Data）要求信号を含むＤＤＣ下り信号及びＨＤＣＰ認証処理における初期メッセージ、疑似乱数データ及びセッションキーなどを含むＤＤＣ下り信号を発生して、ＨＤＭＩケーブル５０１のＤＤＣチャンネル５０１ｃを介してアダプタ装置２００に出力する一方、ＰＤＰ装置４００からのＥＤＩＤデータを含むＤＤＣ上り信号及びＨＤＣＰ認証時にＰＤＰ装置４００から出力される認証証明書などを含むＤＤＣ上り信号をＨＤＭＩケーブル５０１のＤＤＣチャンネル５０１ｃを介して受信する。さらに、コントローラ１１０は、ＣＥＣ規格に準拠した制御信号を含むＣＥＣ下り信号を発生して、ＨＤＭＩケーブル５０１のＣＥＣライン５０１ｄを介してアダプタ装置２００に出力する一方、ＰＤＰ装置４００からのＣＥＣ規格に準拠した制御信号を含むＣＥＣ上り信号を、アダプタ装置２００からＨＤＭＩケーブル５０１のＣＥＣライン５０１ｄを介して受信する。またさらに、コントローラ１１０は、アダプタ装置２００から、ＨＤＭＩケーブル５０１のＨＰＤライン５０１ｅを介してＨＤＭＩ規格に準拠したＨＰＤ信号を受信すると、所定の初期化処理を実行する。【００５１】
図２において、アダプタ装置２００は、コントローラ２０と、ＴＭＤＳインターフェース２１と、変調器２２と、アンテナ２４を備えた無線送信回路２３と、ＤＤＣインターフェース２５と、ＣＥＣインターフェース２６と、バッファメモリ２８を備えた時分割多重分離器２７と、変復調器２９と、アンテナ３１を備えた無線通信回路３０とを備えて構成される。ここで、アンテナ２４及び５４はアレーアンテナなどの指向性アンテナであり、アンテナ３１及び６１はオムニアンテナなどの無指向性アンテナである。【００５２】
アダプタ装置２００において、コントローラ２０は、アダプタ装置２００の全体の動作及び変調器２２、無線送信回路２３、時分割多重分離器２７、変復調器２９及び無線通信回路３０の各動作を制御するためのコントローラである。【００５３】
ＴＭＤＳインターフェース２１は、ＨＤＭＩケーブル５０１のＴＭＤＳチャンネル５０１ａを介して入力されるＴＭＤＳ信号及びＨＤＭＩケーブル５０１のＴＭＤＳチャンネル５０１ｂを介して入力されるピクセルクロック信号を受信して、受信したＴＭＤＳ信号を、受信したピクセルクロック信号に同期してシリアル・パラレル変換して、ディジタル映像信号と、ディジタル音声信号と、補助データとを発生して、変調器２２に出力する。変調器２２は、ＴＭＤＳインターフェース２１からのディジタル映像信号、ディジタル音声信号及び補助データと、コントローラ２０からのアダプタ装置２００及びアダプタ装置３００のＭＡＣ（Media Access Control）アドレスを含むＴＭＤＳ無線情報とをベースバンド信号に多重化した後、多重化後のベースバンド信号に対して、例えばＯＦＤＭ（Orthogonal Frequency Division Multiplexing；直交周波数分割多重。以下、ＯＦＤＭという。）方式を用いた変調処理などのベースバンド信号処理を実行した後、Ｄ／Ａ変換処理を実行し、処理後の信号を無線送信回路２３に出力する。無線送信回路２３は、コントローラ２０からの送信パラメータに従って、入力される信号に対して高域周波数変換及び電力増幅などの高周波信号処理を行い、処理後の信号に基づいてＴＭＤＳ無線信号を発生してアンテナ２４を介してアダプタ装置３００に無線送信する。ここで、送信パラメータは、使用するＴＭＤＳ無線チャンネル（ＴＭＤＳ無線チャンネル８１ａ又は８１ｂ）のデータ及びアンテナ２４の指向特性に関するデータを含む。【００５４】
ＤＤＣインターフェース２５は、ＤＶＤプレーヤ１００からＨＤＭＩケーブル５０１のＤＤＣチャンネル５０１ｃを介して入力されるＤＤＣ下り信号を受信して、信号変換やプロトコル変換を含む所定のインターフェース処理を実行して時分割多重分離器２７に出力する一方、時分割多重分離器２７からのＤＤＣ上り信号に対して信号変換やプロトコル変換を含む所定のインターフェース処理を実行して、ＨＤＭＩケーブル５０１のＤＤＣチャンネル５０１ｃを介してＤＶＤプレーヤ１００に出力する。【００５５】
ＣＥＣインターフェース２６は、ＤＶＤプレーヤ１００からＨＤＭＩケーブル５０１のＤＤＣチャンネル５０１ｄを介して入力されるＣＥＣ下り信号を受信して、信号変換やプロトコル変換を含む所定のインターフェース処理を実行して時分割多重分離器２７に出力する一方、時分割多重分離器２７からのＣＥＣ上り信号に対して信号変換やプロトコル変換を含む所定のインターフェース処理を実行して、ＨＤＭＩケーブル５０１のＣＥＣチャンネル５０１ｄを介してＤＶＤプレーヤ１００に出力する。【００５６】
時分割多重分離器２７は、入力されるＤＤＣ下り信号及びＣＥＣ下り信号をバッファメモリ２８に格納した後、各信号間に所定のガードタイムを設けて時分割多重して変復調器２９に出力する。ここで、時分割多重分離器２７は、以下の場合には、ＤＤＣ下り信号をＣＥＣ下り信号よりも先に変復調器２９に出力するようにＤＤＣ下り信号をＣＥＣ下り信号よりも優先して、ＤＤＣ下り信号及びＣＥＣ下り信号を時分割多重する。
（ａ）ＤＤＣ下り信号とＣＥＣ下り信号とが同時に時分割多重分離器２７に入力されたとき、
（ｂ）ＤＤＣ下り信号がＥＤＩＤ情報の読み出し要求信号であるＥＤＩＤ要求信号を含むとき、及び、
（ｃ）ＤＤＣ下り信号が、ＤＶＤプレーヤ１００がＰＤＰ装置４００を認証するＨＤＣＰ認証処理の下り信号を含むとき。【００５７】
さらに、時分割多重分離器２７は、変復調器２９からの信号をバッファメモリ２８に格納した後、時分割多重分離して、ＤＤＣ上り信号及びＣＥＣ上り信号を発生して、ＤＤＣインターフェース２５及びＣＥＣインターフェース２６にそれぞれ出力する。【００５８】
変復調器２９は、時分割多重分離器２７からの信号と、コントローラ２０からのＤＤＣ／ＣＥＣ無線情報とを多重化してベースバンド信号を発生し、ベースバンド信号に従って、無線搬送波を所定のディジタル変調方式を用いてディジタル変調した後、Ｄ／Ａ変換して無線通信回路３０に出力する。ここで、ＤＤＣ／ＣＥＣ無線情報は、アダプタ装置２００及びアダプタ装置３００の各ＭＡＣアドレス及びＤＤＣ下り信号とＣＥＣ下り信号とを識別するための識別情報を含む。また、変復調器２９は、無線通信回路３０からの信号を、Ａ／Ｄ変換した後、所定のディジタル復調方式を用いてベースバンド信号に復調し、ＤＤＣ／ＣＥＣ無線情報の分離処理を行い、処理後のベースバンド信号を時分割多重分離器２７に出力する。【００５９】
無線通信回路３０は、変復調器２９からの信号に対して、コントローラ２０からの送信パラメータに従って、高域周波数変換及び電力増幅などの高周波信号処理を行い、処理後の無線送信信号をアンテナ３１を介してアダプタ装置３００に無線送信する。ここで、送信パラメータは、使用するＤＤＣ／ＣＥＣ無線チャンネル８２のデータを含む。また、無線通信回路３０は、アンテナ３１で受信した信号に対して低域周波数変換及び電力増幅などの高周波信号処理を行い、処理後の信号を変復調器２９に出力する。【００６０】
図３において、アダプタ装置３００は、コントローラ５０と、ＴＭＤＳインターフェース５１と、復調器５２と、アンテナ５４を備えた無線受信回路５３と、ＤＤＣインターフェース５５と、ＣＥＣインターフェース５６と、バッファメモリ５８を備えた時分割多重分離器５７と、変復調器５９と、アンテナ６１を備えた無線通信回路６０とを備えて構成される。【００６１】
アダプタ装置３００において、コントローラ５０は、アダプタ装置３００の全体の動作及び復調器５２、無線受信回路５３、時分割多重分離器５７、変復調器５９及び無線通信回路６０の各動作を制御するためのコントローラである。【００６２】
無線受信回路５３は、コントローラ５０からの受信パラメータに従って、アンテナ５４で受信したＴＭＤＳ無線信号に対して低域周波数変換及び電力増幅などの高周波信号処理を行い、処理後の信号を復調器５２に出力する。ここで、受信パラメータは、使用するＴＭＤＳ無線チャンネル（ＴＭＤＳ無線チャンネル８１ａ又は８１ｂ）のデータ及びアンテナ５４の指向特性に関するデータを含む。復調器５２は、無線受信回路５３からの信号を、Ａ／Ｄ変換した後、所定のディジタル復調方式を用いてベースバンド信号に復調し、ＴＭＤＳ無線情報の分離処理を行い、処理後のベースバンド信号及びＴＭＤＳ無線情報をＴＭＤＳインターフェース５１に出力する。ＴＭＤＳインターフェース５１は、復調器５２からのベースバンド信号に対して信号変換やプロトコル変換を含む所定のインターフェース処理を実行して、ＴＭＤＳ信号及びピクセルクロック信号を発生して、ＨＤＭＩケーブル５０２のＴＭＤＳチャンネル５０１ａ及びＴＭＤＳクロックチャンネル５０１ｂを介してＰＤＰ装置４００にそれぞれ出力する。【００６３】
ＤＤＣインターフェース５５は、ＰＤＰ装置４００からＨＤＭＩケーブル５０２のＤＤＣチャンネル５０２ｃを介して入力されるＤＤＣ上り信号を受信して、信号変換やプロトコル変換を含む所定のインターフェース処理を実行して時分割多重分離器５７に出力する一方、時分割多重分離器５７からのＤＤＣ下り信号に対して信号変換やプロトコル変換を含む所定のインターフェース処理を実行して、ＨＤＭＩケーブル５０２のＤＤＣチャンネル５０２ｃを介してＰＤＰ装置４００に出力する。【００６４】
ＣＥＣインターフェース５６は、ＰＤＰ装置４００からＨＤＭＩケーブル５０２のＤＤＣチャンネル５０２ｄを介して入力されるＣＥＣ上り信号を受信して、信号変換やプロトコル変換を含む所定のインターフェース処理を実行して時分割多重分離器５７に出力する一方、時分割多重分離器５７からのＣＥＣ下り信号に対して信号変換やプロトコル変換を含む所定のインターフェース処理を実行して、ＨＤＭＩケーブル５０２のＣＥＣチャンネル５０２ｄを介してＰＤＰ装置４００に出力する。【００６５】
時分割多重分離器５７は、入力されるＤＤＣ上り信号及びＣＥＣ上り信号をバッファメモリ５８に格納した後、各信号間に所定のガードタイムを設けて時分割多重して変復調器５９に出力する。ここで、時分割多重分離器５７は、以下の場合には、ＤＤＣ上り信号をＣＥＣ上り信号よりも先に変復調器５９に出力するように、ＤＤＣ上り信号及びＣＥＣ上り信号を時分割多重する。
（ａ）ＤＤＣ上り信号とＣＥＣ上り信号とが同時に時分割多重分離器５７に入力されたとき、
（ｂ）ＤＤＣ上り信号がＥＤＩＤデータを含むとき、及び、
（ｃ）ＤＤＣ上り信号が、ＤＶＤプレーヤ１００がＰＤＰ装置４００を認証するＨＤＣＰ認証処理の上り信号を含むとき。【００６６】
さらに、時分割多重分離器５７は、変復調器５９からの信号をバッファメモリ５８に格納した後、時分割多重分離して、ＤＤＣ下り信号及びＣＥＣ下り信号を発生して、ＤＤＣインターフェース５５及びＣＥＣインターフェース５６にそれぞれ出力する。【００６７】
変復調器５９は、時分割多重分離器５７からの信号と、コントローラ５０からのＤＤＣ／ＣＥＣ無線情報とを多重化してベースバンド信号を発生し、ベースバンド信号に従って、無線搬送波を所定のディジタル変調方式を用いてディジタル変調した後、Ｄ／Ａ変換して無線通信回路６０に出力する。ここで、ＤＤＣ／ＣＥＣ無線情報は、アダプタ装置２００及びアダプタ装置３００の各ＭＡＣアドレス及びＤＤＣ上り信号とＣＥＣ上り信号とを識別するための識別情報を含む。さらに、変復調器５９は、無線通信回路６０からの信号を、Ａ／Ｄ変換した後、所定のディジタル復調方式を用いてベースバンド信号に復調し、ＤＤＣ／ＣＥＣ無線情報の分離処理を行い、処理後のベースバンド信号を時分割多重分離器５７に出力する。【００６８】
無線通信回路６０は、コントローラ５０からの送信パラメータに従って、変復調器５９からの信号に対して高域周波数変換及び電力増幅などの高周波信号処理を行い、処理後の信号をアンテナ６１を介してアダプタ装置２００に無線送信する。ここで、送信パラメータは、使用するＤＤＣ／ＣＥＣ無線チャンネル８２のデータを含む。また、無線通信回路６０は、アンテナ６１で受信した信号に対して低域周波数変換及び電力増幅などの高周波信号処理を行い、処理後の信号を変復調器５９に出力する。【００６９】
図３において、ＰＤＰ装置４００は、コントローラ４１０と、インターフェース４５０と、映像信号処理回路４５１と、ディスプレイ４５２と、音声信号処理回路４５３と、スピーカ４５４と、を備えて構成される。ここで、コントローラ４１０と、インターフェース４５０と、映像信号処理回路４５１と、音声信号処理回路４５３とは、コントローラ４１０のバス４１５を介して互いに接続される。【００７０】
ＰＤＰ装置４００において、コントローラ４１０はＰＤＰ装置４００の全体の動作を制御するためのコントローラであって、互いにバス４１５を介して接続されるＣＰＵ４１１と、ＲＡＭ４１２と、ＲＯＭ４１３とを備えて構成される。ＣＰＵ４１１は、ＰＤＰ装置４００の全体の動作を制御するコンピュータであって、種々のソフトウェアのプログラム等を実行する。また、ＲＯＭ４１３は、ＰＤＰ装置４００の動作に必要な種々のソフトウェア及び、ＣＰＵ４１１によって実行されるソフトウェアのコンピュータにより実行可能なプログラムを予め記憶し、ＰＤＰ装置４００の製品情報、製造者名、映像符号化方式（例えば、ＲＧＢ方式、ＹＣＢＣＲ４：４：４方式又はＹＣＢＣＲ４：２：２方式）、解像度、フィールド周波数、走査線数などの映像出力仕様及び音声出力サンプリングなどの音声出力仕様などのＰＤＰ装置４００の装置パラメータであるＥＤＩＤデータを予め記憶するＥＤＩＤメモリ４１４を含む。さらに、ＲＡＭ４１２は、ＳＲＡＭ、ＤＲＡＭ、ＳＤＲＡＭ等で構成され、ＣＰＵ４１１のワーキングエリアとして使用されてプログラムの実行時に発生する一時的なデータを記憶する。【００７１】
ＰＤＰ装置４００において、インターフェース４５０は、アダプタ装置３００とのインターフェース処理を実行して、ＨＤＭＩ規格に準拠する信号やデータをＨＤＭＩケーブル５０２を介してアダプタ装置３００に出力する一方、アダプタ装置３００からＨＤＭＩケーブル５０２を介して入力される信号を受信して、信号変換やプロトコル変換を含む所定のインターフェース処理を実行してＣＰＵ４１１に出力する。【００７２】
コントローラ４１０においてＣＰＵ４１１は、ＨＤＭＩケーブル５０２のＴＭＤＳチャンネル５０２ａを介して入力されるＴＭＤＳ信号及びＨＤＭＩケーブル５０２のＴＭＤＳチャンネル５０２ｂを介して入力されるピクセルクロック信号を受信して、受信したＴＭＤＳ信号を、受信したピクセルクロック信号に同期してシリアル・パラレル変換することにより、映像データと、音声データと、映像信号の水平同期信号と、映像信号の垂直同期信号と、補助データとにデコードする。さらに、ＣＰＵ４１１は、映像データと、音声データと、映像信号の水平同期信号と、映像信号の垂直同期信号と、補助データとに基づいて映像信号及び音声信号を発生して、映像信号処理回路４５１及び音声信号処理回路４５３にそれぞれ出力する。また、ＣＰＵ４１１は、ＰＤＰ装置４００からのＥＤＩＤ要求信号を含むＤＤＣ下り信号及びＰＤＰ装置４００とのＨＤＣＰ認証処理の下り信号を含むＤＤＣ下り信号を受信する一方、ＥＤＩＤデータを含むＤＤＣ上り信号及び認証証明書などを含むＤＤＣ上り信号を発生して、ＨＤＭＩケーブル５０２のＤＤＣチャンネル５０２ｃを介してアダプタ装置３００に出力する。さらに、ＣＰＵ４１１は、ＣＥＣ規格に準拠した制御信号を含むＣＥＣ上り信号を発生して、ＨＤＭＩケーブル５０２のＣＥＣライン５０２ｄを介してアダプタ装置３００に出力する一方、ＤＶＤプレーヤ１００からのＣＥＣ規格に準拠した制御信号を含むＣＥＣ下り信号を、アダプタ装置３００からＨＤＭＩケーブル５０２のＣＥＣライン５０２ｄを介して受信する。【００７３】
また、ＰＤＰ装置４００において、映像信号処理回路４５１は、入力される映像信号を所定の仕様を有する映像表示用信号に変換してディスプレイ４５２に出力して表示する。さらに、音声信号処理回路４５３は、入力される音声信号を、Ｄ／Ａ変換及び増幅してスピーカ４５４に出力する。【００７４】
図５は、図４のＴＭＤＳ無線チャンネル８１ａ又は８１ｂを用いて伝送される信号のタイミングを示すタイミングチャートである。図５に示すように、アンテナ２４から出力さるＴＭＤＳ無線信号９１は、ＴＭＤＳ無線チャンネル８１ａ又は８１ｂを用いて無線伝送される。【００７５】
図６は、図４のＤＤＣ／ＣＥＣ無線チャンネル８２を用いて伝送される信号のタイミングを示すタイミングチャートである。図６において、ＤＤＣ無線下り信号９２，９５及びＣＥＣ無線下り信号９４はそれぞれ、アンテナ３１から出力される信号に含まれるＤＤＣ下り信号及びＣＥＣ下り信号である。また、ＤＤＣ無線上り信号９３，９６及びＣＥＣ無線上り信号９７はそれぞれ、アンテナ６１から出力される信号に含まれるＤＤＣ上り信号及びＣＥＣ上り信号である。図６に示すようにアンテナ３１とアンテナ６１との間で送受信される各信号は、ＤＤＣ／ＣＥＣ無線チャンネル８２を用いて、ＤＤＣ無線下り信号９２、ＤＤＣ無線上り信号９３、ＣＥＣ無線下り信号９４、ＤＤＣ無線下り信号９５、ＤＤＣ無線上り信号９６、ＣＥＣ無線上り信号９７の順番で、互いに所定のガードタイムを設けて無線伝送される。アダプタ装置３００は、ＤＤＣ無線下り信号９２を受信すると、所定のガードタイム経過後に、ＤＤＣ無線上り信号９３をアダプタ装置２００に無線送信する。また、アダプタ装置２００は、ＤＤＣ無線上り信号９３を受信後、所定のガードタイム経過後に、ＣＥＣ無線下り信号９４及びＤＤＣ無線下り信号９５を、互いに所定のガードタイムを設けてアダプタ装置３００に無線送信する。さらに、アダプタ装置３００は、ＤＤＣ無線下り信号９５を受信した後、所定のガードタイム経過後に、ＤＤＣ無線上り信号９６及びＣＥＣ無線上り信号９７を、互いに所定のガードタイムを設けてアダプタ装置２００に無線送信する。【００７６】
図７は、図１の無線伝送システムの第１の動作例を示すシーケンス図である。図７において、始めに、アダプタ装置２００とアダプタ装置３００とは初期接続を行う。初期接続において、アダプタ装置２００のコントローラ２０は、所定の参照パターン及びＴＭＤＳ無線情報を含むＴＭＤＳ無線テスト信号を発生して無線送信回路２３に出力するように、変調器２２を制御する。次いで、無線送信回路２３は、コントローラ２０からの送信パラメータに従って、入力されるＴＭＤＳ無線テスト信号に対して高域周波数変換及び電力増幅などの高周波信号処理を行い、処理後の信号をアンテナ２４を介してアダプタ装置３００に無線送信する。【００７７】
アダプタ装置３００の無線受信回路５３は、コントローラ５０からの受信パラメータに従って、アンテナ５４で受信したＴＭＤＳ無線テスト信号に対して低域周波数変換及び電力増幅などの高周波信号処理を行い、処理後の信号を復調器５２に出力する。復調器５２は、無線受信回路５３からの信号を、Ａ／Ｄ変換した後、所定のディジタル復調方式を用いてベースバンド信号に復調し、ＴＭＤＳ無線情報の分離処理を行い、処理後のベースバンド信号及びＴＭＤＳ無線情報をコントローラ５０に出力する。コントローラ５０は、入力されるベースバンド信号に含まれる参照パターンに基づいてＢＥＲ（Bit Error Rate）を検出し、検出したＢＥＲ及びＴＭＤＳ無線情報を含むＡＣＫ信号を発生して、変復調器５９、無線通信回路６０及びアンテナ６１を介して、アダプタ装置２００に無線送信する。【００７８】
アダプタ装置２００の無線通信回路６０は、アンテナ３１で受信したＡＣＫ信号に対して低域周波数変換及び電力増幅などの高周波信号処理を行い、処理後の信号を変復調器２９に出力する。変復調器２９は、無線通信回路３０からの信号を、Ａ／Ｄ変換した後、所定のディジタル復調方式を用いてベースバンド信号に復調し、コントローラ５０に出力する。コントローラ２０は、入力されるベースバンド信号に含まれるＢＥＲに基づいて、ＢＥＲが所定のしきい値以下であるか否かを判断し、ＮＯの場合は、アンテナ２４から送信されるＴＭＤＳ無線テスト信号の送信パラメータを、ＢＥＲが小さくなるように変更して、当該変更した送信パラメータに従ってＴＭＤＳ無線テスト信号を無線送信するように、変調器２２及び無線送信回路２３を制御する。具体的には、コントローラ２０は、ＢＥＲが小さくなるように、ＴＭＤＳ無線チャンネル８１ａ又は８１ｂのいずれかを選択し、アンテナ２４の指向特性を変化させる。一方、コントローラ２０は、入力されるベースバンド信号に含まれるＢＥＲが所定のしきい値以下である場合は、初期接続を終了し、ＨＰＤ信号を発生してＨＤＭＩケーブル５０１のＨＰＤライン５０１ｅを介して、ＤＶＤプレーヤ１００のコントローラ１１０に出力する。上述のように、初期接続において、アダプタ装置２００のコントローラ２０は、ＴＭＤＳ無線テスト信号のアダプタ装置３００での受信状態が実質的に最良になるように、ＴＭＤＳ無線テスト信号の送信パラメータを調整する。【００７９】
ＤＶＤプレーヤ１００のコントローラ１１０は、ＨＰＤ信号を受信すると、所定の初期化処理を実行し、ＥＤＩＤ要求信号を含むＤＤＣ下り信号を発生してアダプタ装置２００のＤＤＣインターフェース２５に出力する。ＤＤＣインターフェース２５に入力されたＤＤＣ下り信号は、ＥＤＩＤ要求信号を含むＤＤＣ無線下り信号として、時分割多重分離器２７、変復調器２９、無線通信回路３０及びアンテナ３１を介して、アダプタ装置３００に無線送信された後、アダプタ装置３００の無線通信回路６０、変復調器５９、時分割多重分離器５７及びＤＤＣインターフェース５５を介してＰＤＰ装置４００のＣＰＵ４１１に出力される。これに応答して、ＰＤＰ装置４００のＣＰＵ４１１は、ＥＤＩＤメモリ４１４からＥＤＩＤデータを読み出して、当該読み出したＥＤＩＤデータを含むＤＤＣ上り信号を発生して、アダプタ装置３００のＤＤＣインターフェース５５に出力する。ＤＤＣインターフェース５５に入力されたＤＤＣ上り信号は、ＥＤＩＤデータを含むＤＤＣ無線上り信号として、時分割多重分離器５７、変復調器５９、無線通信回路６０及びアンテナ６１を介して、アダプタ装置２００に無線送信された後、アダプタ装置２００の無線通信回路３０、変復調器２９、時分割多重分離器２７及びＤＤＣインターフェース２５を介してＤＶＤプレーヤ１００のコントローラ１１０に出力される。【００８０】
その後、ＤＶＤプレーヤ１００のコントローラ１１０と、ＰＤＰ装置４００のＣＰＵ４１１とは、アダプタ装置３００及び２００を介して、ＨＤＣＰ認証処理を行う。このとき、ＤＶＤプレーヤ１００のコントローラ１１０は、ＨＤＣＰ認証レジスタ１１１にＰＤＰ装置４００からの認証証明書を書き込む。ＨＤＣＰ認証処理の終了後、ＤＶＤプレーヤ１００のコントローラ１１０は、ＴＭＤＳ無線信号を発生して、アダプタ装置２００及び３００を介してＰＤＰ装置４００のＣＰＵ４１１に出力する。なお、ＤＶＤ１１４に格納されたコンテンツの著作権保護が不要な場合は、ＤＶＤプレーヤ１００のコントローラ１１０とＰＤＰ装置４００のＣＰＵ４１１との間でＨＤＣＰ認証処理を行わなくてもよい。【００８１】
図８は、図１の無線伝送システムの第２の動作例を示すシーケンス図である。第２の動作例は、図７の第１の動作例に比較して、アダプタ装置２００とアダプタ装置３００との間の初期接続のみが異なる。図８の初期接続において、アダプタ装置２００のコントローラ２０は、所定の参照パターン及びＤＤＣ／ＣＥＣ無線情報を含むＤＤＣ／ＣＥＣ無線テスト信号を発生して無線通信回路３０に出力するように、変復調器２９を制御する。次いで、無線通信回路３０は、コントローラ２０からの送信パラメータに従って、入力されるＤＤＣ／ＣＥＣ無線テスト信号に対して高域周波数変換及び電力増幅などの高周波信号処理を行い、処理後の信号をアンテナ３１を介してアダプタ装置３００に無線送信する。【００８２】
アダプタ装置３００の無線通信回路６０は、コントローラ５０からの受信パラメータに従って、アンテナ６１で受信したＤＤＣ／ＣＥＣ無線テスト信号に対して低域周波数変換及び電力増幅などの高周波信号処理を行い、処理後の信号を変復調器５９に出力する。復調器５２は、無線受信回路５３からの信号を、Ａ／Ｄ変換した後、所定のディジタル復調方式を用いてベースバンド信号に復調し、ＤＤＣ／ＣＥＣ無線情報の分離処理を行い、処理後のベースバンド信号及びＤＤＣ／ＣＥＣ無線情報をコントローラ５０に出力する。コントローラ５０は、入力されるベースバンド信号に含まれる参照パターンに基づいてＢＥＲを検出し、ＤＤＣ／ＣＥＣ無線情報から送信元のＭＡＣアドレスＡＤＲ１を読み出す。さらに、コントローラ５０は、検出したＢＥＲ及びＤＤＣ／ＣＥＣ無線情報を含むＡＣＫ信号を発生して、変復調器５９、無線通信回路６０及びアンテナ６１を介して、アダプタ装置２００に無線送信する。【００８３】
アダプタ装置２００の無線通信回路３０は、アンテナ３１で受信したＡＣＫ信号に対して低域周波数変換及び電力増幅などの高周波信号処理を行い、処理後の信号を変復調器２９に出力する。変復調器２９は、無線通信回路３０からの信号を、Ａ／Ｄ変換した後、所定のディジタル復調方式を用いてベースバンド信号に復調し、コントローラ２０に出力する。コントローラ２０は、入力されるベースバンド信号に含まれるＢＥＲに基づいて、ＢＥＲが所定のしきい値以下であるか否かを判断し、ＢＥＲが所定のしきい値以下の場合のみ、所定の参照パターン及びＴＭＤＳ無線情報を含むＴＭＤＳ無線テスト信号を発生して無線送信回路２３に出力するように、変調器２２を制御する。次いで、無線送信回路２３は、コントローラ２０からの送信パラメータに従って、入力されるＴＭＤＳ無線テスト信号に対して高域周波数変換及び電力増幅などの高周波信号処理を行い、処理後の信号をアンテナ２４を介してアダプタ装置３００に無線送信する。【００８４】
アダプタ装置３００の無線受信回路５３は、コントローラ５０からの受信パラメータに従って、アンテナ５４で受信したＴＭＤＳ無線テスト信号に対して低域周波数変換及び電力増幅などの高周波信号処理を行い、処理後の信号を復調器５２に出力する。復調器５２は、無線受信回路５３からの信号を、Ａ／Ｄ変換した後、所定のディジタル復調方式を用いてベースバンド信号に復調し、ＴＭＤＳ無線情報の分離処理を行い、処理後のベースバンド信号及びＴＭＤＳ無線情報をコントローラ５０に出力する。コントローラ５０は、入力されるベースバンド信号に含まれる参照パターンに基づいてＢＥＲを算出し、ＴＭＤＳ無線情報から送信元のＭＡＣアドレスＡＤＲ２を読み出す。さらに、コントローラ５０は、ＤＤＣ／ＣＥＣ無線情報から読み出した送信元のＭＡＣアドレスＡＤＲ１と、ＴＭＤＳ無線情報から読み出した送信元のＭＡＣアドレスＡＤＲ２とが一致するか否かを判断し、一致する場合のみ、算出したＢＥＲ及びＴＭＤＳ無線情報を含むＡＣＫ信号を発生して、変復調器５９、無線通信回路６０及びアンテナ６１を介して、アダプタ装置２００に無線送信する。【００８５】
アダプタ装置２００の無線通信回路６０は、アンテナ３１で受信したＡＣＫ信号に対して低域周波数変換及び電力増幅などの高周波信号処理を行い、処理後の信号を変復調器２９に出力する。変復調器２９は、無線通信回路３０からの信号を、Ａ／Ｄ変換した後、所定のディジタル復調方式を用いてベースバンド信号に復調し、コントローラ２０に出力する。コントローラ２０は、入力されるベースバンド信号に含まれるＢＥＲに基づいて、ＢＥＲが所定のしきい値以下であるか否かを判断し、ＮＯの場合は、アンテナ２４から送信されるＴＭＤＳ無線テスト信号の送信パラメータを、ＢＥＲが小さくなるように変更して、当該変更した送信パラメータに従ってＴＭＤＳ無線テスト信号を無線送信するように、変調器２２及び無線送信回路２３を制御する。具体的には、コントローラ２０は、ＢＥＲが小さくなるように、ＴＭＤＳ無線チャンネル８１ａ又は８１ｂのいずれかを選択し、アンテナ２４の指向特性を変化させる。一方、コントローラ２０は、入力されるベースバンド信号に含まれるＢＥＲが所定のしきい値以下である場合は、初期接続を終了し、ＨＰＤ信号を発生してＨＤＭＩケーブル５０１のＨＰＤライン５０１ｅを介して、ＤＶＤプレーヤ１００のコントローラ１１０に出力する。上述のように、初期接続において、アダプタ装置２００のコントローラ２０は、ＴＭＤＳ無線テスト信号のアダプタ装置３００での受信状態が実質的に最良になるように、送信パラメータを調整する。以下のシーケンスは図７のシーケンスと同様であるので、説明を省略する。【００８６】
以上説明したように、本実施形態によれば、アダプタ装置２００は、ＤＶＤプレーヤ１００からのＴＭＤＳ信号、ＤＤＣ下り信号及びＣＥＣ下り信号を、アダプタ装置３００に無線送信する一方、アダプタ装置３００からのＤＤＣ上り信号及びＣＥＣ上り信号を無線受信でき、アダプタ装置３００は、ＰＤＰ装置４００からのＤＤＣ上り信号及びＣＥＣ上り信号をアダプタ装置２００に無線送信する一方、アダプタ装置２００からのＴＭＤＳ信号、ＤＤＣ下り信号及びＣＥＣ下り信号を、無線受信できる。従って、ＤＶＤプレーヤ１００によって発生されたＴＭＤＳ信号、ＤＤＣ下り信号及びＣＥＣ下り信号を、アダプタ装置２００及び３００を介してＰＤＰ装置４００に無線伝送する一方、ＰＤＰ装置４００によって発生されたＤＤＣ上り信号及びＣＥＣ上り信号を、アダプタ装置３００及び２００を介してＤＶＤプレーヤ１００に無線伝送できる。すなわち、ＤＶＤプレーヤ１００とＰＤＰ装置４００との間の接続を無線伝送で接続することにより、当該接続をＨＤＭＩケーブルを用いることなく実現して、従来技術に比較して簡単化できる。これにより、アダプタ装置２００に接続されるＤＶＤプレーヤ１００及びアダプタ装置３００に接続されるＰＤＰ装置４００の設置場所の自由度を高めることができる。【００８７】
第２の実施形態．
図９は、本発明の第１の実施形態に係るＤＶＤプレーヤ１００と、アダプタ装置２００Ａ及び３００Ａと、ＰＤＰ装置４００とを含む無線伝送システムの構成を示すブロック図である。また、図１０は、図９のＤＶＤプレーヤ１００及びアダプタ装置２００Ａの構成を示すブロック図であり、図１１は、図９のアダプタ装置３００Ａ及びＰＤＰ装置４００の構成を示すブロック図である。さらに、図１２は、図９の無線伝送システムの周波数スペクトラムを示す図である。第２の実施形態に係る無線伝送システムは、第１の実施形態に係る無線伝送システムに比較して、ＴＭＤＳ信号、ＤＤＣ下り信号及びＣＥＣ下り信号と、ＤＤＣ上り信号及びＣＥＣ上り信号とを、アダプタ装置２００Ａとアダプタ装置３００Ａとの間で、互いに異なる無線チャンネルを用いて無線伝送したことを特徴とする。以下、第１の実施形態との相違点を詳述する。【００８８】
図９において、ＤＶＤプレーヤ１００は、ＨＤＭＩケーブル５０１を介してアダプタ装置２００Ａに接続される。また、アダプタ装置２００Ａとアダプタ装置３００Ａとは、アダプタ装置２００Ａのアンテナ２４及び３１及びアダプタ装置３００Ａのアンテナ５４及び６１を介して互いに無線接続される。さらに、アダプタ装置３００ＡはＰＤＰ装置４００に接続される。【００８９】
また、図９において、ＤＶＤプレーヤ１００によって発生されたＴＭＤＳ信号、ＤＤＣ下り信号及びＣＥＣ下り信号は、詳細後述するように、アダプタ装置２００Ａ、アンテナ２４及び５４、及びアダプタ装置３００Ａを介してＰＤＰ装置４００に伝送される。ここで、アンテナ２４とアンテナ５４との間の無線通信は、図１２のＴＭＤＳ／ＤＤＣ／ＣＥＣ無線チャンネル８４ａ又は８４ｂを用いて単向方式（One-Way）で行われる。また、ＰＤＰ装置４００によって発生されたＤＤＣ上り信号及びＣＥＣ上り信号はそれぞれ、アダプタ装置３００Ａ、アンテナ６１及び３１、及びアダプタ装置２００Ａを介してＤＶＤプレーヤ１００に伝送される。ここで、アンテナ３１とアンテナ６１との間の無線通信は、図１２のＤＤＣ／ＣＥＣ無線上りチャンネル８３を用いて単向方式（One-Way）で行われる。なお、ＤＤＣ／ＣＥＣ無線上りチャンネル８３とＴＭＤＳ／ＤＤＣ／ＣＥＣ無線チャンネル８４ａ及び８４ｂとは互いに周波数が異なるように周波数多重される。なお、これらは時分割多重されてもよい。【００９０】
図１０において、アダプタ装置２００Ａは、コントローラ２０Ａと、ＴＭＤＳインターフェース２１と、ＴＭＤＳ多重回路３２と、変調器２２と、アンテナ２４を備えた無線送信回路２３と、ＤＤＣインターフェース２５と、ＣＥＣインターフェース２６と、バッファメモリ２８Ａを備えた時分割多重分離器２７Ａと、復調器３３と、アンテナ３１を備えた無線受信回路３４とを備えて構成される。【００９１】
アダプタ装置２００Ａにおいて、コントローラ２０Ａは、アダプタ装置２００Ａの全体の動作及びＴＭＤＳ多重回路３２、変調器２２、無線送信回路２３、時分割多重分離器２７Ａ、復調器３３、及び無線受信回路３４の各動作を制御するためのコントローラである。【００９２】
ＴＭＤＳインターフェース２１は、ＨＤＭＩケーブル５０１のＴＭＤＳチャンネル５０１ａを介して入力されるＴＭＤＳ信号及びＨＤＭＩケーブル５０１のＴＭＤＳチャンネル５０１ｂを介して入力されるピクセルクロック信号を受信して、受信したＴＭＤＳ信号を、受信したピクセルクロック信号に同期してシリアル・パラレル変換して、ディジタル映像信号と、ディジタル音声信号と、補助データとを発生して、ＴＭＤＳ多重回路３２に出力する。【００９３】
また、時分割多重分離器２７Ａは、ＤＤＣインターフェース２５からのＤＤＣ下り信号及びＣＥＣインターフェース２６からのＣＥＣ下り信号を、バッファメモリ２８Ａに格納した後、時分割多重して変調器２２に出力する。ここで、時分割多重分離器２７Ａは、以下の場合には、ＤＤＣ下り信号をＣＥＣ下り信号よりも先にＴＭＤＳ多重回路３２に出力するように、ＤＤＣ下り信号及びＣＥＣ下り信号を時分割多重する。
（ａ）ＤＤＣ下り信号とＣＥＣ下り信号とが同時に時分割多重分離器２７Ａに入力されたとき、
（ｂ）ＤＤＣ下り信号がＥＤＩＤ情報の読み出し要求信号であるＥＤＩＤ要求信号を含むとき、及び、
（ｃ）ＤＤＣ下り信号が、ＤＶＤプレーヤ１００がＰＤＰ装置４００を認証するＨＤＣＰ認証処理の下り信号を含むとき。【００９４】
ＴＭＤＳ多重回路３２は、ＴＭＤＳインターフェース２１からのディジタル映像信号の帰線期間の空き部分に、ディジタル音声信号及び補助データと重ならないように、時分割多重分離器２７ＡからのＤＤＣ下り信号及びＣＥＣ下り信号を含む信号を時分割多重して、変調器２２に出力する。変調器２２に出力された信号は、第１の実施形態と同容に、無線送信回路２３及びアンテナ２４を介して、図１２のＴＭＤＳ／ＤＤＣ／ＣＥＣ無線チャンネル８４ａ又は８４ｂを用いて、アダプタ装置３００に無線送信される。図１３は、図１２のＴＭＤＳ／ＤＤＣ／ＣＥＣ無線チャンネル８４ａ又は８４ｂを用いて伝送される信号の伝送フォーマットを示す図である。図１３において、ＤＤＣ無線下り信号、ＣＥＣ無線下り信号、及びＴＭＤＳ無線信号はそれぞれ、アンテナ２４から出力される信号に含まれるＤＤＣ下り信号、ＣＥＣ下り信号、及びＴＭＤＳ信号である。図１３に示すように、ＤＤＣ無線下り信号及びＣＥＣ無線下り信号は、ディジタル映像信号の帰線期間の空き部分に、ディジタル音声信号及び補助データと重ならないように時分割多重される。【００９５】
無線受信回路３４は、コントローラ２０Ａからの受信パラメータに従って、アンテナ３１で受信した信号に対して低域周波数変換及び電力増幅などの高周波信号処理を行い、処理後の信号を復調器３３に出力する。ここで、受信パラメータは、使用するＤＤＣ／ＣＥＣ無線上りチャンネル８３のデータを含む。復調器３３は、無線受信回路３４からの信号を、Ａ／Ｄ変換した後、所定のディジタル復調方式を用いてベースバンド信号に復調し、ＤＤＣ／ＣＥＣ無線情報の分離処理を行い、処理後のベースバンド信号を時分割多重分離器２７Ａに出力する。さらに、時分割多重分離器２７Ａは、復調器３３からの信号をバッファメモリ２８Ａに格納した後、時分割多重分離して、ＤＤＣ上り信号及びＣＥＣ上り信号を発生して、ＤＤＣインターフェース２５及びＣＥＣインターフェース２６にそれぞれ出力する。【００９６】
図１１において、アダプタ装置３００Ａは、コントローラ５０Ａと、ＴＭＤＳインターフェース５１と、ＴＭＤＳ分離回路６２と、復調器５２と、アンテナ５４を備えた無線受信回路５３と、ＤＤＣインターフェース５５と、ＣＥＣインターフェース５６と、バッファメモリ５８Ａを備えた時分割多重分離器５７Ａと、変調器６３と、アンテナ６１を備えた無線送信回路６４とを備えて構成される。【００９７】
アダプタ装置３００Ａにおいて、コントローラ５０Ａは、アダプタ装置３００Ａの全体の動作及びＴＭＤＳ分離回路６２、復調器５２、無線受信回路５３、時分割多重分離器５７Ａ、変調器６３、及び無線送信回路６４の各動作を制御するためのコントローラである。【００９８】
ＴＭＤＳ分離回路６２は、復調器５２から入力されるベースバンド信号から、ディジタル映像信号、ディジタル音声信号、補助データ、及びＤＤＣ下り信号とＣＥＣ下り信号とを含む信号を分離して、ディジタル映像信号、ディジタル音声信号及び補助データをＴＭＤＳインターフェース５１に出力する一方、ＤＤＣ下り信号とＣＥＣ下り信号とを含む信号を時分割多重分離器５７Ａに出力する。ＴＭＤＳインターフェース５１は、ＴＭＤＳ分離回路６２からの信号に対して信号変換やプロトコル変換を含む所定のインターフェース処理を実行して、ＴＭＤＳ信号及びピクセルクロック信号を発生して、ＨＤＭＩケーブル５０２のＴＭＤＳチャンネル５０１ａ及びＴＭＤＳクロックチャンネル５０１ｂを介してＰＤＰ装置４００にそれぞれ出力する。【００９９】
時分割多重分離器５７Ａは、ＴＭＤＳ分離回路６２からの信号をバッファメモリ５８Ａに格納した後、時分割多重分離して、ＤＤＣ下り信号及びＣＥＣ下り信号を発生して、ＤＤＣインターフェース５５及びＣＥＣインターフェース５６にそれぞれ出力する。【０１００】
また、時分割多重分離器５７Ａは、ＤＤＣインターフェース５５からのＤＤＣ上り信号及びＣＥＣインターフェース５６からのＣＥＣ上り信号をバッファメモリ５８Ａに格納した後、各信号間に所定のガードタイムを設けて時分割多重して変調器６３に出力する。ここで、時分割多重分離器５７Ａは、以下の場合には、ＤＤＣ上り信号をＣＥＣ上り信号よりも先に変調器６３に出力するように、ＤＤＣ上り信号及びＣＥＣ上り信号を時分割多重する。
（ａ）ＤＤＣ上り信号とＣＥＣ上り信号とが同時に時分割多重分離器５７Ａに入力されたとき、
（ｂ）ＤＤＣ上り信号がＥＤＩＤデータを含むとき、及び、
（ｃ）ＤＤＣ上り信号が、ＤＶＤプレーヤ１００がＰＤＰ装置４００を認証するＨＤＣＰ認証処理の上り信号を含むとき。【０１０１】
変調器６３は、時分割多重分離器５７Ａからの信号と、コントローラ５０ＡからのＤＤＣ／ＣＥＣ無線情報とを多重化してベースバンド信号を発生し、ベースバンド信号に従って、無線搬送波を所定のディジタル変調方式を用いてディジタル変調した後、Ｄ／Ａ変換して無線送信回路６４に出力する。ここで、ＤＤＣ／ＣＥＣ無線情報は、アダプタ装置２００Ａ及びアダプタ装置３００Ａの各ＭＡＣアドレス及びＤＤＣ上り信号とＣＥＣ上り信号とを識別するための識別情報を含む。【０１０２】
無線送信回路６４は、コントローラ５０Ａからの送信パラメータに従って、変調器６３からの信号に対して高域周波数変換及び電力増幅などの高周波信号処理を行い、処理後の無線送信信号をアンテナ６１を介してアダプタ装置３００Ａに無線送信する。ここで、送信パラメータは、使用するＤＤＣ／ＣＥＣ無線上りチャンネル８３のデータを含む。【０１０３】
図１４は、図１２のＤＤＣ／ＣＥＣ無線上りチャンネル８３を用いて伝送される信号のタイミングを示すタイミングチャートである。図１４において、ＤＤＣ無線上り信号９８及びＣＥＣ無線上り信号９９はそれぞれ、アンテナ６１から出力される信号に含まれるＤＤＣ上り信号及びＣＥＣ上り信号である。図６に示すように、アダプタ装置３００Ａは、ＤＤＣ上り信号９８及びＣＥＣ無線上り信号９９を、互いに所定のガードタイムを設けて、アダプタ装置２００Ａに無線伝送する。【０１０４】
なお、第２の実施形態に係る無線伝送システムは、図８の動作例と同様に動作する。このとき、アダプタ装置２００Ａとアダプタ装置３００Ａとの間で、各下り信号はアンテナ２４及び５４を介して伝送される一方、各上り信号はアンテナ６１及び３１を介して伝送される。【０１０５】
第２の実施形態に係る無線伝送システムは、第１の実施形態に係る無線伝送システムと同様の効果を奏する。また、ＴＭＤＳ信号、ＤＤＣ下り信号及びＣＥＣ下り信号をＴＭＤＳ／ＤＤＣ／ＣＥＣ無線チャンネル８４ａ又は８４ｂを用いて無線伝送する一方、ＤＤＣ上り信号及びＣＥＣ上り信号をＤＤＣ／ＣＥＣ無線上りチャンネル８３を用いて無線伝送したので、第１の実施形態に係るＤＤＣ／ＣＥＣ無線チャンネル８２においてＤＤＣ上り信号及びＣＥＣ上り信号のみを、より大きな伝送容量で無線伝送できる。さらに、ＤＤＣ下り信号及びＣＥＣ下り信号をディジタル映像信号の帰線期間にディジタル音声信号及び上記補助データと重ならないように多重化することにより、ＴＭＤＳ信号、ＤＤＣ下り信号及びＣＥＣ下り信号を時分割多重するので、ＴＭＤＳ無線チャンネル８１ａ又は８１ｂと同じ伝送容量を有するＴＭＤＳ／ＤＤＣ／ＣＥＣ無線チャンネル８４ａ又は８４ｂを用いて、ＤＤＣ下り信号及びＣＥＣ下り信号を挿入して無線伝送できる。【０１０６】
上記の各実施形態において、別のアンテナ２４及び３１を使用したが、本発明はこれに限らず、アンテナ２４とアンテナ３１とを共用してもよい。また、上記の各実施形態において、別のアンテナ５４及び６１を使用したが、本発明はこれに限らず、アンテナ５４とアンテナ６１とを共用してもよい。【０１０７】
さらに、上記の各実施形態において、コントローラ２０及び２０Ａは、ＴＭＤＳ無線テスト信号及びＤＤＣ／ＣＥＣ無線テスト信号をアダプタ装置３００又は３００Ａで受信したときのＢＥＲに基づいて、ＴＭＤＳ無線テスト信号及びＤＤＣ／ＣＥＣ無線テスト信号のアダプタ装置３００又は３００Ａでの受信状態を判断したが、本発明はこれに限らず、ＴＭＤＳ無線テスト信号及びＤＤＣ／ＣＥＣ無線テスト信号をアダプタ装置３００又は３００Ａで受信したときのＳ／Ｎ（Signal to Noise Ratio）を用いてもよい。なお、上記の各実施形態において、各ＨＤＭＩケーブル５０１及び５０２に含まれる５Ｖ信号ラインと、グランドラインとを省略した。
【産業上の利用可能性】
【０１０８】
以上詳述したように、第１の発明に係る第１の無線通信装置によれば、ＴＭＤＳ信号を第１の無線チャンネルを用いて第１の無線信号として無線送信する第１の無線通信手段と、ＤＤＣ下り信号及びＣＥＣ下り信号を、第２の無線チャンネルを用いて第２の無線信号として無線送信する一方、ＤＤＣ上り信号及びＣＥＣ上り信号を含む第３の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。【０１０９】
また、第２の発明に係る第２の無線通信装置によれば、ＴＭＤＳ信号を第１の無線チャンネルを用いて第１の無線信号として受信する第３の無線通信手段と、ＤＤＣ下り信号及びＣＥＣ下り信号を含む第２の無線信号を、第２の無線チャンネルを用いて受信する一方、ＤＤＣ上り信号及びＣＥＣ上り信号を、第２の無線チャンネルを用いて第３の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。【０１１０】
さらに、第３の発明に係る第１の無線通信装置によれば、ＴＭＤＳ信号、ＤＤＣ下り信号及びＣＥＣ下り信号を第１の無線チャンネルを用いて第１の無線信号として無線送信する第１の無線通信手段と、ＤＤＣ上り信号及びＣＥＣ上り信号を含む第２の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。【０１１１】
またさらに、第４の発明に係る第２の無線通信装置によれば、ＴＭＤＳ信号、ＤＤＣ下り信号及びＣＥＣ下り信号を含む第１の無線信号を、第１の無線チャンネルを用いて受信する第３の無線通信手段と、ＤＤＣ上り信号及びＣＥＣ上り信号を第２の無線チャンネルを用いて第２の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。【０１１２】
さらに、第５の発明に係る無線伝送システムによれば、上記の第１の発明に係る第１の無線通信装置及び第２の発明に係る第２の無線通信装置を備える。従って、第１の無線通信装置をＨＤＭＩソース装置に接続し、第２の無線通信装置をＨＤＭＩシンク装置に接続することにより、ＨＤＭＩシンク装置によって発生されたＤＤＣ上り信号及びＣＥＣ上り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。【０１１３】
さらに、第６の発明に係る無線伝送システムによれば、上記の第３の発明に係る第１の無線通信装置及び第４の発明に係る第２の無線通信装置を備える。従って、第１の無線通信装置をＨＤＭＩソース装置に接続し、第２の無線通信装置をＨＤＭＩシンク装置に接続することにより、ＨＤＭＩシンク装置によって発生されたＤＤＣ上り信号及びＣＥＣ上り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。
【図１】
2007037379.tif 000003
【図２】
2007037379.tif 000004
【図３】
2007037379.tif 000005
【図４】
2007037379.tif 000006
【図５】
2007037379.tif 000007
【図６】
2007037379.tif 000008
【図７】
2007037379.tif 000009
【図８】
2007037379.tif 000010
【図９】
2007037379.tif 000011
【図１０】
2007037379.tif 000012
【図１１】
2007037379.tif 000013
【図１２】
2007037379.tif 000014
【図１３】
2007037379.tif 000015
【図１４】
2007037379.tif 000016
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
（削除）
【請求項２】
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号、ＤＤＣ（Ｄｉｓｐｌａｙ  Ｄａｔａ  Ｃｈａｎｎｅｌ）下り信号及びＣＥＣ（Ｃｏｎｓｕｍｅｒ  Ｅｌｅｃｔｒｏｎｉｃｓ  Ｃｏｎｔｒｏｌ）下り信号を含みＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号を第１の無線チャンネルを用いて第１の無線信号として無線送信する第１の無線通信手段と、
上記ＤＤＣ下り信号及びＣＥＣ下り信号を、第２の無線チャンネルを用いて第２の無線信号として無線送信する一方、上記ＤＤＣ上り信号及びＣＥＣ上り信号を含む第３の無線信号を上記第２の無線チャンネルを用いて受信する第２の無線通信手段とを備え、
上記第２の無線通信手段は、上記ＤＤＣ下り信号及び上記ＣＥＣ下り信号を上記第２の無線信号に時分割多重する一方、上記第３の無線信号を上記ＤＤＣ上り信号及び上記ＣＥＣ上り信号に時分割多重分離する第１の時分割多重分離手段を備えたことを特徴とする無線通信装置。
【請求項３】
上記第１の時分割多重分離手段は、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする請求項２記載の無線通信装置。
【請求項４】
上記第１の時分割多重分離手段は、上記ＤＤＣ下り信号がＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み出し要求信号を含むとき、又は上記ＤＤＣ下り信号が上記ＨＤＭＩ規格に基づくＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ）認証処理の下り信号を含むとき、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする請求項２又は３記載の無線通信装置。
【請求項５】
上記第１の無線通信手段は、所定の参照パターンを含むＴＭＤＳ無線テスト信号を、上記第１の無線チャンネルを用いて上記第１の無線信号として第２の無線通信装置に無線送信し、
上記第２の無線通信手段は、上記第２の無線通信装置により検出された上記ＴＭＤＳ無線テスト信号の第１の受信状態に関する第１の評価値を、上記第２の無線チャンネルを用いて上記第３の無線信号として受信し、
上記第１の無線通信装置は、上記第１の評価値に基づいて、上記第１の無線信号の送信パラメータを、上記第１の受信状態が実質的に最良になるように調整する制御手段をさらに備えたことを特徴とする請求項２乃至４のいずれか１つに記載の無線通信装置。
【請求項６】
上記第２の無線通信手段は、所定の参照パターンを含むＤＤＣ／ＣＥＣ無線テスト信号を、上記第２の無線チャンネルを用いて上記第２の無線信号として上記第２の無線通信装置に無線送信し、上記第２の無線通信装置により検出された上記ＤＤＣ／ＣＥＣ無線テスト信号の第２の受信状態に関する第２の評価値を、上記第３の無線信号として上記第２の無線チャンネルを用いて受信し、
上記制御手段は、上記第２の評価値に基づいて、上記第２の受信状態が所定の状態であることを検出したとき、上記第１の無線通信手段を、上記ＴＭＤＳ無線テスト信号を、上記第１の無線チャンネルを用いて上記第１の無線信号として第２の無線通信装置に無線送信するように制御することを特徴とする請求項５記載の無線通信装置。
【請求項７】
上記制御手段は、上記第１の評価値に基づいて、上記第１の受信状態が実質的に最良になったことを検出したとき、上記ＴＭＤＳ信号、ＤＤＣ下り信号及びＣＥＣ下り信号を発生する信号ソース装置に対して、上記ＤＤＣ上り信号及び上記ＣＥＣ上り信号を発生する信号シンク装置との通信を開始させるように制御することを特徴とする請求項５又は６に記載の無線送信装置。
【請求項８】
（削除）
【請求項９】
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号、ＤＤＣ（Ｄｉｓｐｌａｙ  Ｄａｔａ  Ｃｈａｎｎｅｌ）下り信号及びＣＥＣ（Ｃｏｎｓｕｍｅｒ  Ｅｌｅｃｔｒｏｎｉｃｓ  Ｃｏｎｔｒｏｌ）下り信号を含みＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号を第１の無線チャンネルを用いて第１の無線信号として受信する第３の無線通信手段と、
上記ＤＤＣ下り信号及びＣＥＣ下り信号を含む第２の無線信号を、第２の無線チャンネルを用いて受信する一方、上記ＤＤＣ上り信号及びＣＥＣ上り信号を、上記第２の無線チャンネルを用いて第３の無線信号として無線送信する第４の無線通信手段とを備え、
上記第４の無線通信手段は、上記第２の無線信号を上記ＤＤＣ下り信号及び上記ＣＥＣ下り信号に時分割多重分離する一方、上記ＤＤＣ上り信号及び上記ＣＥＣ上り信号を上記第３の無線信号に時分割多重する第２の時分割多重分離手段を備えたことを特徴とする無線通信装置。
【請求項１０】
上記第２の時分割多重分離手段は、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする請求項９記載の無線通信装置。
【請求項１１】
上記第２の時分割多重分離手段は、上記ＤＤＣ上り信号がＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を含むとき、又は上記ＤＤＣ上り信号が上記ＨＤＭＩ規格に基づくＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ）認証処理の上り信号を含むとき、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする請求項９又は１０記載の無線通信装置。
【請求項１２】
上記第３の無線通信手段は、所定の参照パターンを含むＴＭＤＳ無線テスト信号を含む上記第１の無線信号を上記第１の無線チャンネルを用いて受信し、
上記第２の無線通信装置は、上記ＴＭＤＳ無線テスト信号の第１の受信状態に関する第１の評価値を検出して出力する制御手段をさらに備え、
上記第４の無線通信手段は、上記第１の評価値を上記第２の無線チャンネルを用いて上記第３の無線信号として無線送信することを特徴とする請求項９乃至１１のうちのいずれか１つに記載の無線通信装置。
【請求項１３】
上記第４の無線通信手段は、所定の参照パターンを含むＤＤＣ／ＣＥＣ無線テスト信号を含む上記第２の無線信号を上記第２の無線チャンネルを用いて受信し、
上記制御手段は、上記ＤＤＣ／ＣＥＣ無線テスト信号の第２の受信状態に関する第２の評価値を検出して出力し、
上記第４の無線通信手段は、上記第２の評価値を上記第２の無線チャンネルを用いて上記第３の無線信号として無線送信することを特徴とする請求項１２記載の無線通信装置。
【請求項１４】
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号、ＤＤＣ（Ｄｉｓｐｌａｙ  Ｄａｔａ  Ｃｈａｎｎｅｌ）下り信号及びＣＥＣ（Ｃｏｎｓｕｍｅｒ  Ｅｌｅｃｔｒｏｎｉｃｓ  Ｃｏｎｔｒｏｌ）下り信号を含みＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号、ＤＤＣ下り信号及びＣＥＣ下り信号を第１の無線チャンネルを用いて第１の無線信号として無線送信する第１の無線通信手段と、
上記ＤＤＣ上り信号及びＣＥＣ上り信号を含む第２の無線信号を第２の無線チャンネルを用いて受信する第２の無線通信手段とを備えたことを特徴とする無線通信装置。
【請求項１５】
上記ＴＭＤＳ信号はディジタル映像信号、ディジタル音声信号及び補助データを含み、
上記第１の無線通信手段は、上記ＤＤＣ下り信号及びＣＥＣ下り信号を上記ディジタル映像信号の帰線期間に上記ディジタル音声信号及び上記補助データと重ならないように多重化することにより、上記ＴＭＤＳ信号、ＤＤＣ下り信号及びＣＥＣ下り信号を上記第１の無線信号に時分割多重する時分割多重分離手段を備えたことを特徴とする請求項１４記載の無線通信装置。
【請求項１６】
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号、ＤＤＣ（Ｄｉｓｐｌａｙ  Ｄａｔａ  Ｃｈａｎｎｅｌ）下り信号及びＣＥＣ（Ｃｏｎｓｕｍｅｒ  Ｅｌｅｃｔｒｏｎｉｃｓ  Ｃｏｎｔｒｏｌ）下り信号を含みＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号、ＤＤＣ下り信号及びＣＥＣ下り信号を含む第１の無線信号を、第１の無線チャンネルを用いて受信する第３の無線通信手段と、
上記ＤＤＣ上り信号及びＣＥＣ上り信号を第２の無線チャンネルを用いて第２の無線信号として無線送信する第４の無線通信手段とを備えたことを特徴とする無線通信装置。
【請求項１７】
請求項２乃至７のうちのいずれか１つに記載の無線通信装置である第１の無線通信装置と、請求項９乃至１３のうちのいずれか１つに記載の無線通信装置である第２の無線通信装置とを備えたことを特徴とする無線伝送システム。
【請求項１８】
請求項１４又は１５に記載の無線通信装置である第１の無線通信装置と、請求項１６に記載の無線通信装置である第２の無線通信装置とを備えたことを特徴とする無線伝送システム。
【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号を第１の無線チャンネルを用いて第１の無線信号として無線送信する第１の無線通信手段と、
上記ＤＤＣ下り信号及びＣＥＣ下り信号を、第２の無線チャンネルを用いて第２の無線信号として無線送信する一方、上記ＤＤＣ上り信号及びＣＥＣ上り信号を含む第３の無線信号を上記第２の無線チャンネルを用いて受信する第２の無線通信手段とを備え、
上記第２の無線通信手段は、上記ＤＤＣ下り信号及び上記ＣＥＣ下り信号を上記第２の無線信号に時分割多重する一方、上記第３の無線信号を上記ＤＤＣ上り信号及び上記ＣＥＣ上り信号に時分割多重分離する第１の時分割多重分離手段を備えたことを特徴とする無線通信装置。
【請求項２】
上記第１の時分割多重分離手段は、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする請求項１記載の無線通信装置。
【請求項３】
上記第１の時分割多重分離手段は、上記ＤＤＣ下り信号がＥＤＩＤ（Extended Display Identification Data）情報の読み出し要求信号を含むとき、又は上記ＤＤＣ下り信号が上記ＨＤＭＩ規格に基づくＨＤＣＰ（High-Bandwidth Digital Content Protection）認証処理の下り信号を含むとき、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする請求項１又は２記載の無線通信装置。
【請求項４】
上記第１の無線通信手段は、所定の参照パターンを含むＴＭＤＳ無線テスト信号を、上記第１の無線チャンネルを用いて上記第１の無線信号として第２の無線通信装置に無線送信し、
上記第２の無線通信手段は、上記第２の無線通信装置により検出された上記ＴＭＤＳ無線テスト信号の第１の受信状態に関する第１の評価値を、上記第２の無線チャンネルを用いて上記第３の無線信号として受信し、
上記第１の無線通信装置は、上記第１の評価値に基づいて、上記第１の無線信号の送信パラメータを、上記第１の受信状態が実質的に最良になるように調整する制御手段をさらに備えたことを特徴とする請求項１乃至３のいずれか１つに記載の無線通信装置。
【請求項５】
上記第２の無線通信手段は、所定の参照パターンを含むＤＤＣ／ＣＥＣ無線テスト信号を、上記第２の無線チャンネルを用いて上記第２の無線信号として上記第２の無線通信装置に無線送信し、上記第２の無線通信装置により検出された上記ＤＤＣ／ＣＥＣ無線テスト信号の第２の受信状態に関する第２の評価値を、上記第３の無線信号として上記第２の無線チャンネルを用いて受信し、
上記制御手段は、上記第２の評価値に基づいて、上記第２の受信状態が所定の状態であることを検出したとき、上記第１の無線通信手段を、上記ＴＭＤＳ無線テスト信号を、上記第１の無線チャンネルを用いて上記第１の無線信号として第２の無線通信装置に無線送信するように制御することを特徴とする請求項４記載の無線通信装置。
【請求項６】
上記制御手段は、上記第１の評価値に基づいて、上記第１の受信状態が実質的に最良になったことを検出したとき、上記ＴＭＤＳ信号、ＤＤＣ下り信号及びＣＥＣ下り信号を発生する信号ソース装置に対して、上記ＤＤＣ上り信号及び上記ＣＥＣ上り信号を発生する信号シンク装置との通信を開始させるように制御することを特徴とする請求項４又は５に記載の無線送信装置。
【請求項７】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号を第１の無線チャンネルを用いて第１の無線信号として受信する第３の無線通信手段と、
上記ＤＤＣ下り信号及びＣＥＣ下り信号を含む第２の無線信号を、第２の無線チャンネルを用いて受信する一方、上記ＤＤＣ上り信号及びＣＥＣ上り信号を、上記第２の無線チャンネルを用いて第３の無線信号として無線送信する第４の無線通信手段とを備え、
上記第４の無線通信手段は、上記第２の無線信号を上記ＤＤＣ下り信号及び上記ＣＥＣ下り信号に時分割多重分離する一方、上記ＤＤＣ上り信号及び上記ＣＥＣ上り信号を上記第３の無線信号に時分割多重する第２の時分割多重分離手段を備えたことを特徴とする無線通信装置。
【請求項８】
上記第２の時分割多重分離手段は、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする請求項７記載の無線通信装置。
【請求項９】
上記第２の時分割多重分離手段は、上記ＤＤＣ上り信号がＥＤＩＤ（Extended Display Identification Data）情報を含むとき、又は上記ＤＤＣ上り信号が上記ＨＤＭＩ規格に基づくＨＤＣＰ（High-Bandwidth Digital Content Protection）認証処理の上り信号を含むとき、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする請求項７又は８記載の無線通信装置。
【請求項１０】
上記第３の無線通信手段は、所定の参照パターンを含むＴＭＤＳ無線テスト信号を含む上記第１の無線信号を上記第１の無線チャンネルを用いて受信し、
上記第２の無線通信装置は、上記ＴＭＤＳ無線テスト信号の第１の受信状態に関する第１の評価値を検出して出力する制御手段をさらに備え、
上記第４の無線通信手段は、上記第１の評価値を上記第２の無線チャンネルを用いて上記第３の無線信号として無線送信することを特徴とする請求項７乃至９のうちのいずれか１つに記載の無線通信装置。
【請求項１１】
上記第４の無線通信手段は、所定の参照パターンを含むＤＤＣ／ＣＥＣ無線テスト信号を含む上記第２の無線信号を上記第２の無線チャンネルを用いて受信し、
上記制御手段は、上記ＤＤＣ／ＣＥＣ無線テスト信号の第２の受信状態に関する第２の評価値を検出して出力し、
上記第４の無線通信手段は、上記第２の評価値を上記第２の無線チャンネルを用いて上記第３の無線信号として無線送信することを特徴とする請求項１０記載の無線通信装置。
【請求項１２】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号、ＤＤＣ下り信号及びＣＥＣ下り信号を第１の無線チャンネルを用いて第１の無線信号として無線送信する第１の無線通信手段と、
上記ＤＤＣ上り信号及びＣＥＣ上り信号を含む第２の無線信号を第２の無線チャンネルを用いて受信する第２の無線通信手段とを備えたことを特徴とする無線通信装置。
【請求項１３】
上記ＴＭＤＳ信号はディジタル映像信号、ディジタル音声信号及び補助データを含み、
上記第１の無線通信手段は、上記ＤＤＣ下り信号及びＣＥＣ下り信号を上記ディジタル映像信号の帰線期間に上記ディジタル音声信号及び上記補助データと重ならないように多重化することにより、上記ＴＭＤＳ信号、ＤＤＣ下り信号及びＣＥＣ下り信号を上記第１の無線信号に時分割多重する時分割多重分離手段を備えたことを特徴とする請求項１２記載の無線通信装置。
【請求項１４】
ＴＭＤＳ（Transition Minimized Differential Signaling）信号、ＤＤＣ（Display Data Channel）下り信号及びＣＥＣ（Consumer Electronics Control）下り信号を含みＨＤＭＩ（High Definition Multimedia Interface）規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号、ＤＤＣ下り信号及びＣＥＣ下り信号を含む第１の無線信号を、第１の無線チャンネルを用いて受信する第３の無線通信手段と、
上記ＤＤＣ上り信号及びＣＥＣ上り信号を第２の無線チャンネルを用いて第２の無線信号として無線送信する第４の無線通信手段とを備えたことを特徴とする無線通信装置。
【請求項１５】
請求項１乃至６のうちのいずれか１つに記載の無線通信装置である第１の無線通信装置と、請求項７乃至１１のうちのいずれか１つに記載の無線通信装置である第２の無線通信装置とを備えたことを特徴とする無線伝送システム。
【請求項１６】
請求項１２又は１３に記載の無線通信装置である第１の無線通信装置と、請求項１４に記載の無線通信装置である第２の無線通信装置とを備えたことを特徴とする無線伝送システム。
【手続補正２】
【補正対象書類名】明細書
【補正対象項目名】全文
【補正方法】変更
【補正の内容】
【発明の詳細な説明】
【技術分野】
【０００１】
本発明は、無線通信装置及び無線伝送システムに関し、特に、ＤＶＤプレーヤやセットトップボックスなどの信号ソース装置が再生し出力する非圧縮のベースバンド映像信号やディジタル音声信号を、ディジタルテレビなどの信号シンク装置に無線伝送するための無線通信装置及び無線伝送システムに関する。
【背景技術】
【０００２】
１本のケーブルで、非圧縮のベースバンド映像信号とディジタル音声信号を伝送できる、次世代ディジタルテレビ向けのインターフェース規格であるＨＤＭＩ（High Definition Multimedia Interface）規格を採用したＡＶ機器が市場に普及し始めている（例えば、特許文献１及び２参照。）。従来はＡＶ機器どうしを接続するために、映像信号や音声信号等の信号毎に伝送用ケーブルを使用する必要があったが、ＨＤＭＩ規格を採用したＡＶ機器どうしはＨＤＭＩ規格に準拠したディジタルデータ伝送バスである１本のＨＤＭＩケーブルのみで接続できるため、ＡＶ機器間の配線を従来に比較して極めてシンプルにできる利点がある。また、ＨＤＭＩケーブルを介して伝送されるデータはディジタルデータであるので、ノイズに強く高画質化が行える利点がある。さらに、ＨＤＭＩケーブルを介してコントロール信号を双方向に伝送できるので、ディジタルテレビジョン装置とＤＶＤプレーヤを連動させることや、複数のＡＶ機器をＨＤＭＩケーブルを用いて接続してホームシアターを構成し、ホームシアター全体の動作を制御することができる。
【０００３】
ＨＤＭＩ規格に準拠した信号を送受信する信号ソース装置であるＨＤＭＩソース装置と、ＨＤＭＩ規格に準拠した信号を送受信する信号シンク装置であるＨＤＭＩシンク装置とを備えて構成される従来技術に係るＨＤＭＩシステムの概要を説明する。ＨＤＭＩシステムにおいて、ＤＶＤプレーヤやセットトップボックス等のＨＤＭＩソース装置と、液晶表示装置やディジタルテレビジョン装置等のＨＤＭＩシンク装置とは、１本のＨＤＭＩケーブルで接続される。ＨＤＭＩソース装置は送信回路を備え、ＨＤＭＩシンク装置は受信回路及びＥＤＩＤ（Extended Display Identification Data）メモリを備える。ここで、ＥＤＩＤメモリは、ＨＤＭＩシンク装置の識別情報、映像出力仕様及び音声出力仕様等のコンフィグレーション情報であるＥＤＩＤを予め格納する。
【０００４】
ＨＤＭＩケーブルは、３つのＴＭＤＳ（Transition Minimized Differential Signaling）チャンネルと、ＴＭＤＳクロックチャンネルと、ＤＤＣ（Display Data Channel）チャンネルと、ＣＥＣ（Consumer Electronics Control）ラインとを含む。
【０００５】
ＤＤＣチャンネルは、ＨＤＭＩソース装置からＨＤＭＩシンク装置へ伝送されるＤＤＣ下り信号及びＨＤＭＩシンク装置からＨＤＭＩソース装置へ伝送されるＤＤＣ上り信号を伝送するための伝送路である。ＨＤＭＩソース装置は、ＤＤＣチャンネルを介してＨＤＭＩシンク装置のＥＤＩＤを読み出した後に、ＥＤＩＤから読み出したＨＤＭＩシンク装置の映像出力仕様を有するベースバンド映像信号、ＨＤＭＩシンク装置の音声出力仕様を有するディジタル音声信号及び補助データを発生して、詳細後述するように３つのＴＭＤＳチャンネルを介してＨＤＭＩシンク装置に送信する。また、ＨＤＣＰ（High-Bandwidth Digital Content Protection）によるコンテンツ保護が行われている場合には、ＤＤＣチャンネルはＨＤＣＰ認証処理及び定期的な暗号鍵の交換に使用される。
【０００６】
一方、ＣＥＣラインは、ＨＤＭＩソース装置とＨＤＭＩシンク装置とを連動して動作するように制御するために、ＨＤＭＩソース装置からＨＤＭＩシンク装置へ伝送されるＣＥＣ下り信号及びＨＤＭＩシンク装置からＨＤＭＩソース装置へ伝送されるＣＥＣ上り信号を伝送する伝送路である。例えば、ＨＤＭＩソース装置がＤＶＤレコーダであり、ＨＤＭＩシンク装置がディジタルテレビジョン装置である場合、ディジタルテレビジョン装置で受信したテレビジョン放送信号を再生してディジタルテレビジョン装置のディスプレイに出力して表示しているときに、ＤＶＤレコーダによるコンテンツの再生が開始されたときに、自動的にディスプレイへの入力切替えを行い、ＤＶＤレコーダが出力する映像音声データをディスプレイに表示させる制御を行うことができる。また、ディジタルテレビジョン装置で受信したテレビジョン放送信号を再生しているときに、ユーザのリモコン操作１つでＤＶＤレコーダによる番組の録画を開始させる制御を行うことができる。
【０００７】
また、３つのＴＭＤＳチャンネルは、映像データ、音声データ及び補助データを含むＴＭＤＳ信号を、ＨＤＭＩソース装置からＨＤＭＩシンク装置に伝送するための伝送路である。はじめにＲＧＢ方式又はＹＣｂＣｒ方式等の所定の仕様を有する２４ビット／ピクセルのベースバンド映像信号、サンプルレートが３２ｋＨｚ、４４．１ｋＨｚ又は４８ｋＨｚのＩＥＣ６０９５８方式のオーディオストリーム、サンプルレート１９２ｋＨｚまでの１チャンネルのオーディオストリーム、サンプルレート９６ｋＨｚまでの２チャンネルから４チャンネルまでのオーディオストリーム又は、サンプルレート１９２ｋＨｚまでの圧縮されたＩＥＣ６１９３７フォーマットのオーディオストリーム等の所定の仕様を有するディジタル音声信号、及び映像信号の水平同期信号及び垂直同期信号と、オーディオのクロック情報やInfoFrames（EIA/CEA-861B方式）等を含む補助データが、それぞれＨＤＭＩソース装置の送信回路に入力される。
【０００８】
次に、送信回路は、ベースバンド映像信号と、水平同期信号及び垂直同期信号と、ディジタル音声信号と、補助データとを映像信号の帰線期間に時分割多重する。ここで、ディジタル音声信号や補助データにはパケット構造が使用される。さらに、コンテンツの著作権保護の必要がある場合は、ベースバンド映像信号と、ディジタル音声信号と補助データに対して、ＨＤＣＰによる暗号化処理を行う。次いで、ベースバンド映像信号に対して、８ビットデータ毎に１０ビットデータに変換する８Ｂ１０Ｂ変換処理を行う。一方、ディジタル音声信号及び補助データに対して、ＢＣＨ誤り訂正処理及び４ビットデータ毎に１０ビットデータに変換する４Ｂ１０Ｂ変換処理を行う。さらに、変換後の１０ビットデータに対してパラレル・シリアル変換を行い、ＴＭＤＳ信号を発生して、３つのＴＭＤＳチャンネルを介してＨＤＭＩシンク装置に出力する。さらに、ピクセルクロック信号を、ＴＭＤＳクロックチャンネルを介してＨＤＭＩシンク装置に出力する。ここで、ピクセルレートは２５ＭＨｚから１６５ＭＨｚの範囲のレート値であり、各ＴＭＤＳチャンネルの各伝送レートに対して１／１０である。
【０００９】
ＨＤＭＩシンク装置の受信回路は、３つのＴＭＤＳチャンネルからのＴＭＤＳ信号を、ＴＭＤＳクロックチャンネルからのピクセルクロック信号に同期してシリアル・パラレル変換することによりデコードする。さらに、コンテンツが暗号化されている場合は、ＨＤＣＰ復号化処理を行い、ベースバンド映像信号と、ディジタル音声信号と、映像信号の水平同期信号と、映像信号の垂直同期信号と、補助データとを発生する。
【００１０】
特許文献１は、ＴＭＤＳ信号に含まれる非圧縮のベースバンド映像信号及びディジタル音声信号を、光無線通信によって伝送する伝送システムを開示している。
【００１１】
【特許文献１】特開２００５−１０２１６１号公報。
【特許文献２】特開２００４−３０４２２０号公報。
【発明の開示】
【発明が解決しようとする課題】
【００１２】
しかしながら、上記の従来技術に係るＨＤＭＩシステムでは、ＨＤＭＩソース装置が壁掛けタイプのテレビジョン装置や天井に設置されたプロジェクタ装置である場合には、ＨＤＭＩソース装置とＨＤＭＩシンク装置とを接続するＨＤＭＩケーブルを壁伝いに配線しなければならず手間がかかり外観上も好ましくないという問題があった。また、機器どうしを接続するＨＤＭＩケーブルの長さによって、機器の設置場所や取り回し範囲が制約をうけるという問題があった。さらに、ＡＶ機器の操作に不慣れなユーザにとっては、複数あるＡＶ機器どうしをそれぞれ正しくケーブル接続することが難しかった。
【００１３】
また、特許文献１は、非圧縮のベースバンド映像信号及びディジタル音声信号を光無線通信によって伝送する伝送システムを開示しているが、ＤＤＣチャンネルやＣＥＣラインを介して伝送される各信号を伝送するためのケーブルを用いてＡＶ機器どうしを接続する必要があり、従来技術に係るＨＤＭＩシステムと同様の問題を有していた。
【００１４】
本発明の目的は以上の問題を解決し、従来技術に比較してＨＤＭＩソース装置及びＨＤＭＩシンク装置の設置場所の自由度を高めることができ、ＨＤＭＩソース装置とＨＤＭＩシンク装置との間の接続を、ＨＤＭＩケーブルを用いることなく簡単化できる無線通信装置及びそれを用いた無線伝送システムを提供することにある。
【課題を解決するための手段】
【００１５】
第１の発明に係る無線通信装置は、ＴＭＤＳ信号、ＤＤＣ下り信号及びＣＥＣ下り信号を含みＨＤＭＩ規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号を第１の無線チャンネルを用いて第１の無線信号として無線送信する第１の無線通信手段と、
上記ＤＤＣ下り信号及びＣＥＣ下り信号を、第２の無線チャンネルを用いて第２の無線信号として無線送信する一方、上記ＤＤＣ上り信号及びＣＥＣ上り信号を含む第３の無線信号を上記第２の無線チャンネルを用いて受信する第２の無線通信手段とを備えたことを特徴とする。
【００１６】
上記無線通信装置において、上記第２の無線通信手段は、上記ＤＤＣ下り信号及び上記ＣＥＣ下り信号を上記第２の無線信号に時分割多重する一方、上記第３の無線信号を上記ＤＤＣ上り信号及び上記ＣＥＣ上り信号に時分割多重分離する第１の時分割多重分離手段を備えたことを特徴とする。
【００１７】
また、上記無線通信装置において、上記第１の時分割多重分離手段は、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする。
【００１８】
さらに、上記無線通信装置において、上記第１の時分割多重分離手段は、上記ＤＤＣ下り信号がＥＤＩＤ情報の読み出し要求信号を含むとき、又は上記ＤＤＣ下り信号が上記ＨＤＭＩ規格に基づくＨＤＣＰ認証処理の下り信号を含むとき、上記ＤＤＣ下り信号を上記ＣＥＣ下り信号より先に無線送信するように上記ＤＤＣ下り信号を上記ＣＥＣ下り信号より優先して、上記ＤＤＣ下り信号及び上記ＣＥＣ下り信号を上記第２の無線信号に時分割多重することを特徴とする。
【００１９】
またさらに、上記無線通信装置において、上記第１の無線通信手段は、所定の参照パターンを含むＴＭＤＳ無線テスト信号を、上記第１の無線チャンネルを用いて上記第１の無線信号として第２の無線通信装置に無線送信し、
上記第２の無線通信手段は、上記第２の無線通信装置により検出された上記ＴＭＤＳ無線テスト信号の第１の受信状態に関する第１の評価値を、上記第２の無線チャンネルを用いて上記第３の無線信号として受信し、
上記第１の無線通信装置は、上記第１の評価値に基づいて、上記第１の無線信号の送信パラメータを、上記第１の受信状態が実質的に最良になるように調整する制御手段をさらに備えたことを特徴とする。
【００２０】
また、上記無線通信装置において、上記第２の無線通信手段は、所定の参照パターンを含むＤＤＣ／ＣＥＣ無線テスト信号を、上記第２の無線チャンネルを用いて上記第２の無線信号として上記第２の無線通信装置に無線送信し、上記第２の無線通信装置により検出された上記ＤＤＣ／ＣＥＣ無線テスト信号の第２の受信状態に関する第２の評価値を、上記第３の無線信号として上記第２の無線チャンネルを用いて受信し、
上記制御手段は、上記第２の評価値に基づいて、上記第２の受信状態が所定の状態であることを検出したとき、上記第１の無線通信手段を、上記ＴＭＤＳ無線テスト信号を、上記第１の無線チャンネルを用いて上記第１の無線信号として第２の無線通信装置に無線送信するように制御することを特徴とする。
【００２１】
さらに、上記無線通信装置において、上記制御手段は、上記第１の評価値に基づいて、上記第１の受信状態が実質的に最良になったことを検出したとき、上記ＴＭＤＳ信号、ＤＤＣ下り信号及びＣＥＣ下り信号を発生する信号ソース装置に対して、上記ＤＤＣ上り信号及び上記ＣＥＣ上り信号を発生する信号シンク装置との通信を開始させるように制御することを特徴とする。
【００２２】
第２の発明に係る無線通信装置は、ＴＭＤＳ信号、ＤＤＣ下り信号及びＣＥＣ下り信号を含みＨＤＭＩ規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号を第１の無線チャンネルを用いて第１の無線信号として受信する第３の無線通信手段と、
上記ＤＤＣ下り信号及びＣＥＣ下り信号を含む第２の無線信号を、第２の無線チャンネルを用いて受信する一方、上記ＤＤＣ上り信号及びＣＥＣ上り信号を、上記第２の無線チャンネルを用いて第３の無線信号として無線送信する第４の無線通信手段とを備えたことを特徴とする。
【００２３】
上記無線通信装置において、上記第４の無線通信手段は、上記第２の無線信号を上記ＤＤＣ下り信号及び上記ＣＥＣ下り信号に時分割多重分離する一方、上記ＤＤＣ上り信号及び上記ＣＥＣ上り信号を上記第３の無線信号に時分割多重する第２の時分割多重分離手段を備えたことを特徴とする。
【００２４】
また、上記無線通信装置において、上記第２の時分割多重分離手段は、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする。
【００２５】
またさらに、上記無線通信装置において、上記第２の時分割多重分離手段は、上記ＤＤＣ上り信号がＥＤＩＤ情報を含むとき、又は上記ＤＤＣ上り信号が上記ＨＤＭＩ規格に基づくＨＤＣＰ認証処理の上り信号を含むとき、上記ＤＤＣ上り信号を上記ＣＥＣ上り信号より先に無線送信するように上記ＤＤＣ上り信号を上記ＣＥＣ上り信号より優先して、上記ＤＤＣ上り信号及び上記ＣＥＣ上り信号を上記第３の無線信号に時分割多重することを特徴とする。
【００２６】
また、上記無線通信装置において、上記第３の無線通信手段は、所定の参照パターンを含むＴＭＤＳ無線テスト信号を含む上記第１の無線信号を上記第１の無線チャンネルを用いて受信し、
上記第２の無線通信装置は、上記ＴＭＤＳ無線テスト信号の第１の受信状態に関する第１の評価値を検出して出力する制御手段をさらに備え、
上記第４の無線通信手段は、上記第１の評価値を上記第２の無線チャンネルを用いて上記第３の無線信号として無線送信することを特徴とする。
【００２７】
またさらに、上記無線通信装置において、上記第４の無線通信手段は、所定の参照パターンを含むＤＤＣ／ＣＥＣ無線テスト信号を含む上記第２の無線信号を上記第２の無線チャンネルを用いて受信し、
上記制御手段は、上記ＤＤＣ／ＣＥＣ無線テスト信号の第２の受信状態に関する第２の評価値を検出して出力し、
上記第４の無線通信手段は、上記第２の評価値を上記第２の無線チャンネルを用いて上記第３の無線信号として無線送信することを特徴とする。
【００２８】
第３の発明に係る無線通信装置は、ＴＭＤＳ信号、ＤＤＣ下り信号及びＣＥＣ下り信号を含みＨＤＭＩ規格に準拠した送信信号を送信し、ＤＤＣ上り信号及びＣＥＣ上り信号を含みＨＤＭＩ規格に準拠した受信信号を受信する第１の無線通信装置において、
上記ＴＭＤＳ信号、ＤＤＣ下り信号及びＣＥＣ下り信号を第１の無線チャンネルを用いて第１の無線信号として無線送信する第１の無線通信手段と、
上記ＤＤＣ上り信号及びＣＥＣ上り信号を含む第２の無線信号を第２の無線チャンネルを用いて受信する第２の無線通信手段とを備えたことを特徴とする。
【００２９】
上記無線通信装置において、上記ＴＭＤＳ信号はディジタル映像信号、ディジタル音声信号及び補助データを含み、
上記第１の無線通信手段は、上記ＤＤＣ下り信号及びＣＥＣ下り信号を上記ディジタル映像信号の帰線期間に上記ディジタル音声信号及び上記補助データと重ならないように多重化することにより、上記ＴＭＤＳ信号、ＤＤＣ下り信号及びＣＥＣ下り信号を上記第１の無線信号に時分割多重する時分割多重分離手段を備えたことを特徴とする請求項１４記載の無線通信装置。
【００３０】
第４の発明に係る無線通信装置は、ＴＭＤＳ信号、ＤＤＣ下り信号及びＣＥＣ下り信号を含みＨＤＭＩ規格に準拠した受信信号を受信し、ＤＤＣ上り信号及びＣＥＣ上り信号を含みＨＤＭＩ規格に準拠した送信信号を送信する第２の無線通信装置において、
上記ＴＭＤＳ信号、ＤＤＣ下り信号及びＣＥＣ下り信号を含む第１の無線信号を、第１の無線チャンネルを用いて受信する第３の無線通信手段と、
上記ＤＤＣ上り信号及びＣＥＣ上り信号を第２の無線チャンネルを用いて第２の無線信号として無線送信する第４の無線通信手段とを備えたことを特徴とする無線通信装置。
【００３１】
第５の発明に係る無線伝送システムは、上記の第１の発明に係る第１の無線通信装置と上記の第２の発明に係る第２の無線通信装置とを備えたことを特徴とする。
【００３２】
第６の発明に係る無線伝送システムは、上記の第３の発明に係る第１の無線通信装置と上記の第４の発明に係る第２の無線通信装置とを備えたことを特徴とする。
【発明の効果】
【００３３】
第１の発明に係る第１の無線通信装置によれば、ＴＭＤＳ信号を第１の無線チャンネルを用いて第１の無線信号として無線送信する第１の無線通信手段と、ＤＤＣ下り信号及びＣＥＣ下り信号を、第２の無線チャンネルを用いて第２の無線信号として無線送信する一方、ＤＤＣ上り信号及びＣＥＣ上り信号を含む第３の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。
【００３４】
また、第２の発明に係る第２の無線通信装置によれば、ＴＭＤＳ信号を第１の無線チャンネルを用いて第１の無線信号として受信する第３の無線通信手段と、ＤＤＣ下り信号及びＣＥＣ下り信号を含む第２の無線信号を、第２の無線チャンネルを用いて受信する一方、ＤＤＣ上り信号及びＣＥＣ上り信号を、第２の無線チャンネルを用いて第３の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。
【００３５】
さらに、第３の発明に係る第１の無線通信装置によれば、ＴＭＤＳ信号、ＤＤＣ下り信号及びＣＥＣ下り信号を第１の無線チャンネルを用いて第１の無線信号として無線送信する第１の無線通信手段と、ＤＤＣ上り信号及びＣＥＣ上り信号を含む第２の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。
【００３６】
またさらに、第４の発明に係る第２の無線通信装置によれば、ＴＭＤＳ信号、ＤＤＣ下り信号及びＣＥＣ下り信号を含む第１の無線信号を、第１の無線チャンネルを用いて受信する第３の無線通信手段と、ＤＤＣ上り信号及びＣＥＣ上り信号を第２の無線チャンネルを用いて第２の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。
【００３７】
さらに、第５の発明に係る無線伝送システムによれば、上記の第１の発明に係る第１の無線通信装置及び第２の発明に係る第２の無線通信装置を備える。従って、第１の無線通信装置をＨＤＭＩソース装置に接続し、第２の無線通信装置をＨＤＭＩシンク装置に接続することにより、ＨＤＭＩソース装置によって発生されたＤＤＣ下り信号及びＣＥＣ下り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。
【００３８】
さらに、第６の発明に係る無線伝送システムによれば、上記の第３の発明に係る第１の無線通信装置及び第４の発明に係る第２の無線通信装置を備える。従って、第１の無線通信装置をＨＤＭＩソース装置に接続し、第２の無線通信装置をＨＤＭＩシンク装置に接続することにより、ＨＤＭＩソース装置によって発生されたＤＤＣ下り信号及びＣＥＣ下り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。
【発明を実施するための最良の形態】
【００３９】
以下、本発明に係る実施形態について図面を参照して説明する。なお、同様の構成要素については同一の符号を付している。
【００４０】
第１の実施形態．
図１は、本発明の第１の実施形態に係るＤＶＤプレーヤ１００と、アダプタ装置２００及び３００と、ＰＤＰ（Plasma Display Panel）装置４００とを含む無線伝送システムの構成を示すブロック図である。また、図２は、図１のＤＶＤプレーヤ１００及びアダプタ装置２００の構成を示すブロック図であり、図３は、図１のアダプタ装置３００及びＰＤＰ装置４００の構成を示すブロック図である。さらに、図４は、図１の無線伝送システムの周波数スペクトラムを示す図である。
【００４１】
図１において、ＤＶＤプレーヤ１００は、ＴＭＤＳ（Transition Minimized Differential Signaling)信号、ＤＤＣ（Display Data Channel）下り信号及びＣＥＣ（Consumer Electronics Control）下り信号を含みＨＤＭＩ（High Definition Multimedia Interface）規格に準拠した送信信号を発生して送信し、ＤＤＣ上り信号及びＣＥＣ上り信号を含みＨＤＭＩ規格に準拠した受信信号を受信するＨＤＭＩソース装置であり、ＨＤＭＩ規格に準拠したディジタルデータ伝送バスであるＨＤＭＩケーブル５０１を介してアダプタ装置２００に接続される。また、アダプタ装置２００は、アダプタ装置２００のアンテナ２４及び３１及びアダプタ装置３００のアンテナ５４及び６１を介してアダプタ装置３００に無線接続され、詳細後述するように、ＤＶＤプレーヤ１００からのＴＭＤＳ信号、ＤＤＣ下り信号及びＣＥＣ下り信号を、アダプタ装置３００に無線送信する一方、アダプタ装置３００からのＤＤＣ上り信号及びＣＥＣ上り信号を含む無線信号を受信する。さらに、アダプタ装置３００は、詳細後述するように、アダプタ装置２００からのＴＭＤＳ信号、ＤＤＣ下り信号及びＣＥＣ下り信号を受信する一方、ＰＤＰ装置４００からのＤＤＣ上り信号及びＣＥＣ上り信号を、アダプタ装置２００に無線送信する。またさらに、アダプタ装置３００は、ＨＤＭＩ規格に準拠したディジタルデータ伝送バスであるＨＤＭＩケーブル５０２を介して、ＰＤＰ装置４００に接続される。ここで、ＰＤＰ装置４００は、ＴＭＤＳ信号、ＤＤＣ下り信号及びＣＥＣ下り信号を含みＨＤＭＩ規格に準拠した受信信号を受信し、ＤＤＣ上り信号及びＣＥＣ上り信号を含みＨＤＭＩ規格に準拠した送信信号を送信するＨＤＭＩシンク装置である。
【００４２】
ここで、本明細書において、ＤＶＤプレーヤ１００からアダプタ装置２００に伝送される信号、アダプタ装置２００からアダプタ装置３００に伝送される信号、及びアダプタ装置３００からＰＤＰ装置４００に伝送される信号をそれぞれ下り信号と呼び、ＰＤＰ装置４００からアダプタ装置３００に伝送される信号、アダプタ装置３００からアダプタ装置２００に伝送される信号、及びアダプタ装置２００からＤＶＤプレーヤ１００に伝送される信号をそれぞれ上り信号と呼ぶ。
【００４３】
また、図１において、ＤＶＤプレーヤ１００によって詳細後述するように発生されたＴＭＤＳ信号は、アダプタ装置２００、アンテナ２４及び５４、及びアダプタ装置３００を介してＰＤＰ装置４００に伝送される。ここで、アンテナ２４とアンテナ５４との間の無線通信は、図４のＴＭＤＳ無線チャンネル８１ａ又は８１ｂを用いて単向方式（One-Way）で行われる。また、ＤＶＤプレーヤ１００によって詳細後述するように発生されたＤＤＣ下り信号及びＣＥＣ下り信号はそれぞれ、アダプタ装置２００、アンテナ３１及び６１、及びアダプタ装置３００を介してＰＤＰ装置４００に伝送される一方、ＰＤＰ装置４００によって詳細後述するように発生されたＤＤＣ上り信号及びＣＥＣ上り信号はそれぞれ、アダプタ装置３００、アンテナ６１及び３１、及びアダプタ装置２００を介してＤＶＤプレーヤ１００に伝送される。ここで、アンテナ３１とアンテナ６１との間の無線通信は、図４のＤＤＣ／ＣＥＣ無線チャンネル８２を用いて単信方式（Simplex）で行われる。なお、ＤＤＣ／ＣＥＣ無線チャンネル８２とＴＭＤＳ無線チャンネル８１ａ及び８１ｂとは互いに周波数が異なるように周波数多重される。なお、これらは時分割多重されてもよい。
【００４４】
図２において、ＨＤＭＩケーブル５０１は、３つのＴＭＤＳチャンネル５０１ａと、ＴＭＤＳクロックチャンネル５０１ｂと、ＤＤＣチャンネル５０１ｃと、ＣＥＣライン５０１ｄと、ＨＰＤ（Hot Plug Detect）ライン５０１ｅとを含む。また、図３において、ＨＤＭＩケーブル５０２は、３つのＴＭＤＳチャンネル５０２ａと、ＴＭＤＳクロックチャンネル５０２ｂと、ＤＤＣチャンネル５０２ｃと、ＣＥＣライン５０２ｄと、ＨＰＤライン５０２ｅとを含む。
【００４５】
図２において、ＤＶＤプレーヤ１００は、コントローラ１１０と、デコーダ１１２と、ＤＶＤドライブ１１３と、ＤＶＤ１１４と、インターフェース１１５とを備えて構成される。コントローラ１１０は、ＤＶＤプレーヤ１００の全体の動作を制御するためのコントローラである。ここで、コントローラ１１０は、アダプタ装置２００及び３００を介してＰＤＰ装置４００を認証するためのＨＤＭＩ規格に準拠したＨＤＣＰ（High-Bandwidth Digital Content Protection）認証処理を行うときに、ＰＤＰ装置４００からの認証証明書を書き込むためのＨＤＣＰ認証レジスタ１１１を含む。
【００４６】
また、ＤＶＤプレーヤ１００において、インターフェース１１５は、コントローラ１１０から入力される信号に対して、アダプタ装置２００とのインターフェース処理を実行して、ＨＤＭＩ規格に準拠する信号を発生して、ＨＤＭＩケーブル５０１を介してアダプタ装置２００に出力する一方、アダプタ装置２００からＨＤＭＩケーブル５０１を介して入力される信号を受信して、信号変換やプロトコル変換を含む所定のインターフェース処理を実行してコントローラ１１０に出力する。
【００４７】
さらに、ＤＶＤプレーヤ１００において、デコーダ１１２の動作はコントローラ１１０によって制御される。デコーダ１１２は、ＤＶＤ１１４に格納されたコンテンツをＤＶＤドライブ１１３を用いて再生して、映像データ、音声データ、映像信号の水平同期信号及び垂直同期信号、及び補助データを発生してコントローラ１１０に出力する。
【００４８】
コントローラ１１０は、デコーダ１１２からの映像データ、音声データ、映像信号の水平同期信号及び垂直同期信号、及び補助データに基づいて、ディジタル映像信号、ディジタル音声信号及び補助データを含むＴＭＤＳ信号及びピクセルクロック信号を発生して、ＴＭＤＳ信号をＨＤＭＩケーブル５０１のＴＭＤＳチャンネル５０１ａを介してアダプタ装置２００に出力するとともに、ピクセルクロック信号をＨＤＭＩケーブル５０１のＴＭＤＳクロックチャンネル５０１ｂを介してアダプタ装置２００に出力する。また、コントローラ１１０は、ＰＤＰ装置４００へのＥＤＩＤ（Extended Display Identification Data）要求信号を含むＤＤＣ下り信号及びＨＤＣＰ認証処理における初期メッセージ、疑似乱数データ及びセッションキーなどを含むＤＤＣ下り信号を発生して、ＨＤＭＩケーブル５０１のＤＤＣチャンネル５０１ｃを介してアダプタ装置２００に出力する一方、ＰＤＰ装置４００からのＥＤＩＤデータを含むＤＤＣ上り信号及びＨＤＣＰ認証時にＰＤＰ装置４００から出力される認証証明書などを含むＤＤＣ上り信号をＨＤＭＩケーブル５０１のＤＤＣチャンネル５０１ｃを介して受信する。さらに、コントローラ１１０は、ＣＥＣ規格に準拠した制御信号を含むＣＥＣ下り信号を発生して、ＨＤＭＩケーブル５０１のＣＥＣライン５０１ｄを介してアダプタ装置２００に出力する一方、ＰＤＰ装置４００からのＣＥＣ規格に準拠した制御信号を含むＣＥＣ上り信号を、アダプタ装置２００からＨＤＭＩケーブル５０１のＣＥＣライン５０１ｄを介して受信する。またさらに、コントローラ１１０は、アダプタ装置２００から、ＨＤＭＩケーブル５０１のＨＰＤライン５０１ｅを介してＨＤＭＩ規格に準拠したＨＰＤ信号を受信すると、所定の初期化処理を実行する。
【００４９】
図２において、アダプタ装置２００は、コントローラ２０と、ＴＭＤＳインターフェース２１と、変調器２２と、アンテナ２４を備えた無線送信回路２３と、ＤＤＣインターフェース２５と、ＣＥＣインターフェース２６と、バッファメモリ２８を備えた時分割多重分離器２７と、変復調器２９と、アンテナ３１を備えた無線通信回路３０とを備えて構成される。ここで、アンテナ２４及び５４はアレーアンテナなどの指向性アンテナであり、アンテナ３１及び６１はオムニアンテナなどの無指向性アンテナである。
【００５０】
アダプタ装置２００において、コントローラ２０は、アダプタ装置２００の全体の動作及び変調器２２、無線送信回路２３、時分割多重分離器２７、変復調器２９及び無線通信回路３０の各動作を制御するためのコントローラである。
【００５１】
ＴＭＤＳインターフェース２１は、ＨＤＭＩケーブル５０１のＴＭＤＳチャンネル５０１ａを介して入力されるＴＭＤＳ信号及びＨＤＭＩケーブル５０１のＴＭＤＳチャンネル５０１ｂを介して入力されるピクセルクロック信号を受信して、受信したＴＭＤＳ信号を、受信したピクセルクロック信号に同期してシリアル・パラレル変換して、ディジタル映像信号と、ディジタル音声信号と、補助データとを発生して、変調器２２に出力する。変調器２２は、ＴＭＤＳインターフェース２１からのディジタル映像信号、ディジタル音声信号及び補助データと、コントローラ２０からのアダプタ装置２００及びアダプタ装置３００のＭＡＣ（Media Access Control）アドレスを含むＴＭＤＳ無線情報とをベースバンド信号に多重化した後、多重化後のベースバンド信号に対して、例えばＯＦＤＭ（Orthogonal Frequency Division Multiplexing；直交周波数分割多重。以下、ＯＦＤＭという。）方式を用いた変調処理などのベースバンド信号処理を実行した後、Ｄ／Ａ変換処理を実行し、処理後の信号を無線送信回路２３に出力する。無線送信回路２３は、コントローラ２０からの送信パラメータに従って、入力される信号に対して高域周波数変換及び電力増幅などの高周波信号処理を行い、処理後の信号に基づいてＴＭＤＳ無線信号を発生してアンテナ２４を介してアダプタ装置３００に無線送信する。ここで、送信パラメータは、使用するＴＭＤＳ無線チャンネル（ＴＭＤＳ無線チャンネル８１ａ又は８１ｂ）のデータ及びアンテナ２４の指向特性に関するデータを含む。
【００５２】
ＤＤＣインターフェース２５は、ＤＶＤプレーヤ１００からＨＤＭＩケーブル５０１のＤＤＣチャンネル５０１ｃを介して入力されるＤＤＣ下り信号を受信して、信号変換やプロトコル変換を含む所定のインターフェース処理を実行して時分割多重分離器２７に出力する一方、時分割多重分離器２７からのＤＤＣ上り信号に対して信号変換やプロトコル変換を含む所定のインターフェース処理を実行して、ＨＤＭＩケーブル５０１のＤＤＣチャンネル５０１ｃを介してＤＶＤプレーヤ１００に出力する。
【００５３】
ＣＥＣインターフェース２６は、ＤＶＤプレーヤ１００からＨＤＭＩケーブル５０１のＤＤＣチャンネル５０１ｄを介して入力されるＣＥＣ下り信号を受信して、信号変換やプロトコル変換を含む所定のインターフェース処理を実行して時分割多重分離器２７に出力する一方、時分割多重分離器２７からのＣＥＣ上り信号に対して信号変換やプロトコル変換を含む所定のインターフェース処理を実行して、ＨＤＭＩケーブル５０１のＣＥＣチャンネル５０１ｄを介してＤＶＤプレーヤ１００に出力する。
【００５４】
時分割多重分離器２７は、入力されるＤＤＣ下り信号及びＣＥＣ下り信号をバッファメモリ２８に格納した後、各信号間に所定のガードタイムを設けて時分割多重して変復調器２９に出力する。ここで、時分割多重分離器２７は、以下の場合には、ＤＤＣ下り信号をＣＥＣ下り信号よりも先に変復調器２９に出力するようにＤＤＣ下り信号をＣＥＣ下り信号よりも優先して、ＤＤＣ下り信号及びＣＥＣ下り信号を時分割多重する。
（ａ）ＤＤＣ下り信号とＣＥＣ下り信号とが同時に時分割多重分離器２７に入力されたとき、
（ｂ）ＤＤＣ下り信号がＥＤＩＤ情報の読み出し要求信号であるＥＤＩＤ要求信号を含むとき、及び、
（ｃ）ＤＤＣ下り信号が、ＤＶＤプレーヤ１００がＰＤＰ装置４００を認証するＨＤＣＰ認証処理の下り信号を含むとき。
【００５５】
さらに、時分割多重分離器２７は、変復調器２９からの信号をバッファメモリ２８に格納した後、時分割多重分離して、ＤＤＣ上り信号及びＣＥＣ上り信号を発生して、ＤＤＣインターフェース２５及びＣＥＣインターフェース２６にそれぞれ出力する。
【００５６】
変復調器２９は、時分割多重分離器２７からの信号と、コントローラ２０からのＤＤＣ／ＣＥＣ無線情報とを多重化してベースバンド信号を発生し、ベースバンド信号に従って、無線搬送波を所定のディジタル変調方式を用いてディジタル変調した後、Ｄ／Ａ変換して無線通信回路３０に出力する。ここで、ＤＤＣ／ＣＥＣ無線情報は、アダプタ装置２００及びアダプタ装置３００の各ＭＡＣアドレス及びＤＤＣ下り信号とＣＥＣ下り信号とを識別するための識別情報を含む。また、変復調器２９は、無線通信回路３０からの信号を、Ａ／Ｄ変換した後、所定のディジタル復調方式を用いてベースバンド信号に復調し、ＤＤＣ／ＣＥＣ無線情報の分離処理を行い、処理後のベースバンド信号を時分割多重分離器２７に出力する。
【００５７】
無線通信回路３０は、変復調器２９からの信号に対して、コントローラ２０からの送信パラメータに従って、高域周波数変換及び電力増幅などの高周波信号処理を行い、処理後の無線送信信号をアンテナ３１を介してアダプタ装置３００に無線送信する。ここで、送信パラメータは、使用するＤＤＣ／ＣＥＣ無線チャンネル８２のデータを含む。また、無線通信回路３０は、アンテナ３１で受信した信号に対して低域周波数変換及び電力増幅などの高周波信号処理を行い、処理後の信号を変復調器２９に出力する。
【００５８】
図３において、アダプタ装置３００は、コントローラ５０と、ＴＭＤＳインターフェース５１と、復調器５２と、アンテナ５４を備えた無線受信回路５３と、ＤＤＣインターフェース５５と、ＣＥＣインターフェース５６と、バッファメモリ５８を備えた時分割多重分離器５７と、変復調器５９と、アンテナ６１を備えた無線通信回路６０とを備えて構成される。
【００５９】
アダプタ装置３００において、コントローラ５０は、アダプタ装置３００の全体の動作及び復調器５２、無線受信回路５３、時分割多重分離器５７、変復調器５９及び無線通信回路６０の各動作を制御するためのコントローラである。
【００６０】
無線受信回路５３は、コントローラ５０からの受信パラメータに従って、アンテナ５４で受信したＴＭＤＳ無線信号に対して低域周波数変換及び電力増幅などの高周波信号処理を行い、処理後の信号を復調器５２に出力する。ここで、受信パラメータは、使用するＴＭＤＳ無線チャンネル（ＴＭＤＳ無線チャンネル８１ａ又は８１ｂ）のデータ及びアンテナ５４の指向特性に関するデータを含む。復調器５２は、無線受信回路５３からの信号を、Ａ／Ｄ変換した後、所定のディジタル復調方式を用いてベースバンド信号に復調し、ＴＭＤＳ無線情報の分離処理を行い、処理後のベースバンド信号及びＴＭＤＳ無線情報をＴＭＤＳインターフェース５１に出力する。ＴＭＤＳインターフェース５１は、復調器５２からのベースバンド信号に対して信号変換やプロトコル変換を含む所定のインターフェース処理を実行して、ＴＭＤＳ信号及びピクセルクロック信号を発生して、ＨＤＭＩケーブル５０２のＴＭＤＳチャンネル５０１ａ及びＴＭＤＳクロックチャンネル５０１ｂを介してＰＤＰ装置４００にそれぞれ出力する。
【００６１】
ＤＤＣインターフェース５５は、ＰＤＰ装置４００からＨＤＭＩケーブル５０２のＤＤＣチャンネル５０２ｃを介して入力されるＤＤＣ上り信号を受信して、信号変換やプロトコル変換を含む所定のインターフェース処理を実行して時分割多重分離器５７に出力する一方、時分割多重分離器５７からのＤＤＣ下り信号に対して信号変換やプロトコル変換を含む所定のインターフェース処理を実行して、ＨＤＭＩケーブル５０２のＤＤＣチャンネル５０２ｃを介してＰＤＰ装置４００に出力する。
【００６２】
ＣＥＣインターフェース５６は、ＰＤＰ装置４００からＨＤＭＩケーブル５０２のＤＤＣチャンネル５０２ｄを介して入力されるＣＥＣ上り信号を受信して、信号変換やプロトコル変換を含む所定のインターフェース処理を実行して時分割多重分離器５７に出力する一方、時分割多重分離器５７からのＣＥＣ下り信号に対して信号変換やプロトコル変換を含む所定のインターフェース処理を実行して、ＨＤＭＩケーブル５０２のＣＥＣチャンネル５０２ｄを介してＰＤＰ装置４００に出力する。
【００６３】
時分割多重分離器５７は、入力されるＤＤＣ上り信号及びＣＥＣ上り信号をバッファメモリ５８に格納した後、各信号間に所定のガードタイムを設けて時分割多重して変復調器５９に出力する。ここで、時分割多重分離器５７は、以下の場合には、ＤＤＣ上り信号をＣＥＣ上り信号よりも先に変復調器５９に出力するように、ＤＤＣ上り信号及びＣＥＣ上り信号を時分割多重する。
（ａ）ＤＤＣ上り信号とＣＥＣ上り信号とが同時に時分割多重分離器５７に入力されたとき、
（ｂ）ＤＤＣ上り信号がＥＤＩＤデータを含むとき、及び、
（ｃ）ＤＤＣ上り信号が、ＤＶＤプレーヤ１００がＰＤＰ装置４００を認証するＨＤＣＰ認証処理の上り信号を含むとき。
【００６４】
さらに、時分割多重分離器５７は、変復調器５９からの信号をバッファメモリ５８に格納した後、時分割多重分離して、ＤＤＣ下り信号及びＣＥＣ下り信号を発生して、ＤＤＣインターフェース５５及びＣＥＣインターフェース５６にそれぞれ出力する。
【００６５】
変復調器５９は、時分割多重分離器５７からの信号と、コントローラ５０からのＤＤＣ／ＣＥＣ無線情報とを多重化してベースバンド信号を発生し、ベースバンド信号に従って、無線搬送波を所定のディジタル変調方式を用いてディジタル変調した後、Ｄ／Ａ変換して無線通信回路６０に出力する。ここで、ＤＤＣ／ＣＥＣ無線情報は、アダプタ装置２００及びアダプタ装置３００の各ＭＡＣアドレス及びＤＤＣ上り信号とＣＥＣ上り信号とを識別するための識別情報を含む。さらに、変復調器５９は、無線通信回路６０からの信号を、Ａ／Ｄ変換した後、所定のディジタル復調方式を用いてベースバンド信号に復調し、ＤＤＣ／ＣＥＣ無線情報の分離処理を行い、処理後のベースバンド信号を時分割多重分離器５７に出力する。
【００６６】
無線通信回路６０は、コントローラ５０からの送信パラメータに従って、変復調器５９からの信号に対して高域周波数変換及び電力増幅などの高周波信号処理を行い、処理後の信号をアンテナ６１を介してアダプタ装置２００に無線送信する。ここで、送信パラメータは、使用するＤＤＣ／ＣＥＣ無線チャンネル８２のデータを含む。また、無線通信回路６０は、アンテナ６１で受信した信号に対して低域周波数変換及び電力増幅などの高周波信号処理を行い、処理後の信号を変復調器５９に出力する。
【００６７】
図３において、ＰＤＰ装置４００は、コントローラ４１０と、インターフェース４５０と、映像信号処理回路４５１と、ディスプレイ４５２と、音声信号処理回路４５３と、スピーカ４５４と、を備えて構成される。ここで、コントローラ４１０と、インターフェース４５０と、映像信号処理回路４５１と、音声信号処理回路４５３とは、コントローラ４１０のバス４１５を介して互いに接続される。
【００６８】
ＰＤＰ装置４００において、コントローラ４１０はＰＤＰ装置４００の全体の動作を制御するためのコントローラであって、互いにバス４１５を介して接続されるＣＰＵ４１１と、ＲＡＭ４１２と、ＲＯＭ４１３とを備えて構成される。ＣＰＵ４１１は、ＰＤＰ装置４００の全体の動作を制御するコンピュータであって、種々のソフトウェアのプログラム等を実行する。また、ＲＯＭ４１３は、ＰＤＰ装置４００の動作に必要な種々のソフトウェア及び、ＣＰＵ４１１によって実行されるソフトウェアのコンピュータにより実行可能なプログラムを予め記憶し、ＰＤＰ装置４００の製品情報、製造者名、映像符号化方式（例えば、ＲＧＢ方式、ＹＣＢＣＲ４：４：４方式又はＹＣＢＣＲ４：２：２方式）、解像度、フィールド周波数、走査線数などの映像出力仕様及び音声出力サンプリングなどの音声出力仕様などのＰＤＰ装置４００の装置パラメータであるＥＤＩＤデータを予め記憶するＥＤＩＤメモリ４１４を含む。さらに、ＲＡＭ４１２は、ＳＲＡＭ、ＤＲＡＭ、ＳＤＲＡＭ等で構成され、ＣＰＵ４１１のワーキングエリアとして使用されてプログラムの実行時に発生する一時的なデータを記憶する。
【００６９】
ＰＤＰ装置４００において、インターフェース４５０は、アダプタ装置３００とのインターフェース処理を実行して、ＨＤＭＩ規格に準拠する信号やデータをＨＤＭＩケーブル５０２を介してアダプタ装置３００に出力する一方、アダプタ装置３００からＨＤＭＩケーブル５０２を介して入力される信号を受信して、信号変換やプロトコル変換を含む所定のインターフェース処理を実行してＣＰＵ４１１に出力する。
【００７０】
コントローラ４１０においてＣＰＵ４１１は、ＨＤＭＩケーブル５０２のＴＭＤＳチャンネル５０２ａを介して入力されるＴＭＤＳ信号及びＨＤＭＩケーブル５０２のＴＭＤＳチャンネル５０２ｂを介して入力されるピクセルクロック信号を受信して、受信したＴＭＤＳ信号を、受信したピクセルクロック信号に同期してシリアル・パラレル変換することにより、映像データと、音声データと、映像信号の水平同期信号と、映像信号の垂直同期信号と、補助データとにデコードする。さらに、ＣＰＵ４１１は、映像データと、音声データと、映像信号の水平同期信号と、映像信号の垂直同期信号と、補助データとに基づいて映像信号及び音声信号を発生して、映像信号処理回路４５１及び音声信号処理回路４５３にそれぞれ出力する。また、ＣＰＵ４１１は、ＰＤＰ装置４００からのＥＤＩＤ要求信号を含むＤＤＣ下り信号及びＰＤＰ装置４００とのＨＤＣＰ認証処理の下り信号を含むＤＤＣ下り信号を受信する一方、ＥＤＩＤデータを含むＤＤＣ上り信号及び認証証明書などを含むＤＤＣ上り信号を発生して、ＨＤＭＩケーブル５０２のＤＤＣチャンネル５０２ｃを介してアダプタ装置３００に出力する。さらに、ＣＰＵ４１１は、ＣＥＣ規格に準拠した制御信号を含むＣＥＣ上り信号を発生して、ＨＤＭＩケーブル５０２のＣＥＣライン５０２ｄを介してアダプタ装置３００に出力する一方、ＤＶＤプレーヤ１００からのＣＥＣ規格に準拠した制御信号を含むＣＥＣ下り信号を、アダプタ装置３００からＨＤＭＩケーブル５０２のＣＥＣライン５０２ｄを介して受信する。
【００７１】
また、ＰＤＰ装置４００において、映像信号処理回路４５１は、入力される映像信号を所定の仕様を有する映像表示用信号に変換してディスプレイ４５２に出力して表示する。さらに、音声信号処理回路４５３は、入力される音声信号を、Ｄ／Ａ変換及び増幅してスピーカ４５４に出力する。
【００７２】
図５は、図４のＴＭＤＳ無線チャンネル８１ａ又は８１ｂを用いて伝送される信号のタイミングを示すタイミングチャートである。図５に示すように、アンテナ２４から出力さるＴＭＤＳ無線信号９１は、ＴＭＤＳ無線チャンネル８１ａ又は８１ｂを用いて無線伝送される。
【００７３】
図６は、図４のＤＤＣ／ＣＥＣ無線チャンネル８２を用いて伝送される信号のタイミングを示すタイミングチャートである。図６において、ＤＤＣ無線下り信号９２，９５及びＣＥＣ無線下り信号９４はそれぞれ、アンテナ３１から出力される信号に含まれるＤＤＣ下り信号及びＣＥＣ下り信号である。また、ＤＤＣ無線上り信号９３，９６及びＣＥＣ無線上り信号９７はそれぞれ、アンテナ６１から出力される信号に含まれるＤＤＣ上り信号及びＣＥＣ上り信号である。図６に示すようにアンテナ３１とアンテナ６１との間で送受信される各信号は、ＤＤＣ／ＣＥＣ無線チャンネル８２を用いて、ＤＤＣ無線下り信号９２、ＤＤＣ無線上り信号９３、ＣＥＣ無線下り信号９４、ＤＤＣ無線下り信号９５、ＤＤＣ無線上り信号９６、ＣＥＣ無線上り信号９７の順番で、互いに所定のガードタイムを設けて無線伝送される。アダプタ装置３００は、ＤＤＣ無線下り信号９２を受信すると、所定のガードタイム経過後に、ＤＤＣ無線上り信号９３をアダプタ装置２００に無線送信する。また、アダプタ装置２００は、ＤＤＣ無線上り信号９３を受信後、所定のガードタイム経過後に、ＣＥＣ無線下り信号９４及びＤＤＣ無線下り信号９５を、互いに所定のガードタイムを設けてアダプタ装置３００に無線送信する。さらに、アダプタ装置３００は、ＤＤＣ無線下り信号９５を受信した後、所定のガードタイム経過後に、ＤＤＣ無線上り信号９６及びＣＥＣ無線上り信号９７を、互いに所定のガードタイムを設けてアダプタ装置２００に無線送信する。
【００７４】
図７は、図１の無線伝送システムの第１の動作例を示すシーケンス図である。図７において、始めに、アダプタ装置２００とアダプタ装置３００とは初期接続を行う。初期接続において、アダプタ装置２００のコントローラ２０は、所定の参照パターン及びＴＭＤＳ無線情報を含むＴＭＤＳ無線テスト信号を発生して無線送信回路２３に出力するように、変調器２２を制御する。次いで、無線送信回路２３は、コントローラ２０からの送信パラメータに従って、入力されるＴＭＤＳ無線テスト信号に対して高域周波数変換及び電力増幅などの高周波信号処理を行い、処理後の信号をアンテナ２４を介してアダプタ装置３００に無線送信する。
【００７５】
アダプタ装置３００の無線受信回路５３は、コントローラ５０からの受信パラメータに従って、アンテナ５４で受信したＴＭＤＳ無線テスト信号に対して低域周波数変換及び電力増幅などの高周波信号処理を行い、処理後の信号を復調器５２に出力する。復調器５２は、無線受信回路５３からの信号を、Ａ／Ｄ変換した後、所定のディジタル復調方式を用いてベースバンド信号に復調し、ＴＭＤＳ無線情報の分離処理を行い、処理後のベースバンド信号及びＴＭＤＳ無線情報をコントローラ５０に出力する。コントローラ５０は、入力されるベースバンド信号に含まれる参照パターンに基づいてＢＥＲ（Bit Error Rate）を検出し、検出したＢＥＲ及びＴＭＤＳ無線情報を含むＡＣＫ信号を発生して、変復調器５９、無線通信回路６０及びアンテナ６１を介して、アダプタ装置２００に無線送信する。
【００７６】
アダプタ装置２００の無線通信回路６０は、アンテナ３１で受信したＡＣＫ信号に対して低域周波数変換及び電力増幅などの高周波信号処理を行い、処理後の信号を変復調器２９に出力する。変復調器２９は、無線通信回路３０からの信号を、Ａ／Ｄ変換した後、所定のディジタル復調方式を用いてベースバンド信号に復調し、コントローラ５０に出力する。コントローラ２０は、入力されるベースバンド信号に含まれるＢＥＲに基づいて、ＢＥＲが所定のしきい値以下であるか否かを判断し、ＮＯの場合は、アンテナ２４から送信されるＴＭＤＳ無線テスト信号の送信パラメータを、ＢＥＲが小さくなるように変更して、当該変更した送信パラメータに従ってＴＭＤＳ無線テスト信号を無線送信するように、変調器２２及び無線送信回路２３を制御する。具体的には、コントローラ２０は、ＢＥＲが小さくなるように、ＴＭＤＳ無線チャンネル８１ａ又は８１ｂのいずれかを選択し、アンテナ２４の指向特性を変化させる。一方、コントローラ２０は、入力されるベースバンド信号に含まれるＢＥＲが所定のしきい値以下である場合は、初期接続を終了し、ＨＰＤ信号を発生してＨＤＭＩケーブル５０１のＨＰＤライン５０１ｅを介して、ＤＶＤプレーヤ１００のコントローラ１１０に出力する。上述のように、初期接続において、アダプタ装置２００のコントローラ２０は、ＴＭＤＳ無線テスト信号のアダプタ装置３００での受信状態が実質的に最良になるように、ＴＭＤＳ無線テスト信号の送信パラメータを調整する。
【００７７】
ＤＶＤプレーヤ１００のコントローラ１１０は、ＨＰＤ信号を受信すると、所定の初期化処理を実行し、ＥＤＩＤ要求信号を含むＤＤＣ下り信号を発生してアダプタ装置２００のＤＤＣインターフェース２５に出力する。ＤＤＣインターフェース２５に入力されたＤＤＣ下り信号は、ＥＤＩＤ要求信号を含むＤＤＣ無線下り信号として、時分割多重分離器２７、変復調器２９、無線通信回路３０及びアンテナ３１を介して、アダプタ装置３００に無線送信された後、アダプタ装置３００の無線通信回路６０、変復調器５９、時分割多重分離器５７及びＤＤＣインターフェース５５を介してＰＤＰ装置４００のＣＰＵ４１１に出力される。これに応答して、ＰＤＰ装置４００のＣＰＵ４１１は、ＥＤＩＤメモリ４１４からＥＤＩＤデータを読み出して、当該読み出したＥＤＩＤデータを含むＤＤＣ上り信号を発生して、アダプタ装置３００のＤＤＣインターフェース５５に出力する。ＤＤＣインターフェース５５に入力されたＤＤＣ上り信号は、ＥＤＩＤデータを含むＤＤＣ無線上り信号として、時分割多重分離器５７、変復調器５９、無線通信回路６０及びアンテナ６１を介して、アダプタ装置２００に無線送信された後、アダプタ装置２００の無線通信回路３０、変復調器２９、時分割多重分離器２７及びＤＤＣインターフェース２５を介してＤＶＤプレーヤ１００のコントローラ１１０に出力される。
【００７８】
その後、ＤＶＤプレーヤ１００のコントローラ１１０と、ＰＤＰ装置４００のＣＰＵ４１１とは、アダプタ装置３００及び２００を介して、ＨＤＣＰ認証処理を行う。このとき、ＤＶＤプレーヤ１００のコントローラ１１０は、ＨＤＣＰ認証レジスタ１１１にＰＤＰ装置４００からの認証証明書を書き込む。ＨＤＣＰ認証処理の終了後、ＤＶＤプレーヤ１００のコントローラ１１０は、ＴＭＤＳ無線信号を発生して、アダプタ装置２００及び３００を介してＰＤＰ装置４００のＣＰＵ４１１に出力する。なお、ＤＶＤ１１４に格納されたコンテンツの著作権保護が不要な場合は、ＤＶＤプレーヤ１００のコントローラ１１０とＰＤＰ装置４００のＣＰＵ４１１との間でＨＤＣＰ認証処理を行わなくてもよい。
【００７９】
図８は、図１の無線伝送システムの第２の動作例を示すシーケンス図である。第２の動作例は、図７の第１の動作例に比較して、アダプタ装置２００とアダプタ装置３００との間の初期接続のみが異なる。図８の初期接続において、アダプタ装置２００のコントローラ２０は、所定の参照パターン及びＤＤＣ／ＣＥＣ無線情報を含むＤＤＣ／ＣＥＣ無線テスト信号を発生して無線通信回路３０に出力するように、変復調器２９を制御する。次いで、無線通信回路３０は、コントローラ２０からの送信パラメータに従って、入力されるＤＤＣ／ＣＥＣ無線テスト信号に対して高域周波数変換及び電力増幅などの高周波信号処理を行い、処理後の信号をアンテナ３１を介してアダプタ装置３００に無線送信する。
【００８０】
アダプタ装置３００の無線通信回路６０は、コントローラ５０からの受信パラメータに従って、アンテナ６１で受信したＤＤＣ／ＣＥＣ無線テスト信号に対して低域周波数変換及び電力増幅などの高周波信号処理を行い、処理後の信号を変復調器５９に出力する。変復調器５９は、無線通信回路６０からの信号を、Ａ／Ｄ変換した後、所定のディジタル復調方式を用いてベースバンド信号に復調し、ＤＤＣ／ＣＥＣ無線情報の分離処理を行い、処理後のベースバンド信号及びＤＤＣ／ＣＥＣ無線情報をコントローラ５０に出力する。コントローラ５０は、入力されるベースバンド信号に含まれる参照パターンに基づいてＢＥＲを検出し、ＤＤＣ／ＣＥＣ無線情報から送信元のＭＡＣアドレスＡＤＲ１を読み出す。さらに、コントローラ５０は、検出したＢＥＲ及びＤＤＣ／ＣＥＣ無線情報を含むＡＣＫ信号を発生して、変復調器５９、無線通信回路６０及びアンテナ６１を介して、アダプタ装置２００に無線送信する。
【００８１】
アダプタ装置２００の無線通信回路３０は、アンテナ３１で受信したＡＣＫ信号に対して低域周波数変換及び電力増幅などの高周波信号処理を行い、処理後の信号を変復調器２９に出力する。変復調器２９は、無線通信回路３０からの信号を、Ａ／Ｄ変換した後、所定のディジタル復調方式を用いてベースバンド信号に復調し、コントローラ２０に出力する。コントローラ２０は、入力されるベースバンド信号に含まれるＢＥＲに基づいて、ＢＥＲが所定のしきい値以下であるか否かを判断し、ＢＥＲが所定のしきい値以下の場合のみ、所定の参照パターン及びＴＭＤＳ無線情報を含むＴＭＤＳ無線テスト信号を発生して無線送信回路２３に出力するように、変調器２２を制御する。次いで、無線送信回路２３は、コントローラ２０からの送信パラメータに従って、入力されるＴＭＤＳ無線テスト信号に対して高域周波数変換及び電力増幅などの高周波信号処理を行い、処理後の信号をアンテナ２４を介してアダプタ装置３００に無線送信する。
【００８２】
アダプタ装置３００の無線受信回路５３は、コントローラ５０からの受信パラメータに従って、アンテナ５４で受信したＴＭＤＳ無線テスト信号に対して低域周波数変換及び電力増幅などの高周波信号処理を行い、処理後の信号を復調器５２に出力する。復調器５２は、無線受信回路５３からの信号を、Ａ／Ｄ変換した後、所定のディジタル復調方式を用いてベースバンド信号に復調し、ＴＭＤＳ無線情報の分離処理を行い、処理後のベースバンド信号及びＴＭＤＳ無線情報をコントローラ５０に出力する。コントローラ５０は、入力されるベースバンド信号に含まれる参照パターンに基づいてＢＥＲを算出し、ＴＭＤＳ無線情報から送信元のＭＡＣアドレスＡＤＲ２を読み出す。さらに、コントローラ５０は、ＤＤＣ／ＣＥＣ無線情報から読み出した送信元のＭＡＣアドレスＡＤＲ１と、ＴＭＤＳ無線情報から読み出した送信元のＭＡＣアドレスＡＤＲ２とが一致するか否かを判断し、一致する場合のみ、算出したＢＥＲ及びＴＭＤＳ無線情報を含むＡＣＫ信号を発生して、変復調器５９、無線通信回路６０及びアンテナ６１を介して、アダプタ装置２００に無線送信する。
【００８３】
アダプタ装置２００の無線通信回路３０は、アンテナ３１で受信したＡＣＫ信号に対して低域周波数変換及び電力増幅などの高周波信号処理を行い、処理後の信号を変復調器２９に出力する。変復調器２９は、無線通信回路３０からの信号を、Ａ／Ｄ変換した後、所定のディジタル復調方式を用いてベースバンド信号に復調し、コントローラ２０に出力する。コントローラ２０は、入力されるベースバンド信号に含まれるＢＥＲに基づいて、ＢＥＲが所定のしきい値以下であるか否かを判断し、ＮＯの場合は、アンテナ２４から送信されるＴＭＤＳ無線テスト信号の送信パラメータを、ＢＥＲが小さくなるように変更して、当該変更した送信パラメータに従ってＴＭＤＳ無線テスト信号を無線送信するように、変調器２２及び無線送信回路２３を制御する。具体的には、コントローラ２０は、ＢＥＲが小さくなるように、ＴＭＤＳ無線チャンネル８１ａ又は８１ｂのいずれかを選択し、アンテナ２４の指向特性を変化させる。一方、コントローラ２０は、入力されるベースバンド信号に含まれるＢＥＲが所定のしきい値以下である場合は、初期接続を終了し、ＨＰＤ信号を発生してＨＤＭＩケーブル５０１のＨＰＤライン５０１ｅを介して、ＤＶＤプレーヤ１００のコントローラ１１０に出力する。上述のように、初期接続において、アダプタ装置２００のコントローラ２０は、ＴＭＤＳ無線テスト信号のアダプタ装置３００での受信状態が実質的に最良になるように、送信パラメータを調整する。以下のシーケンスは図７のシーケンスと同様であるので、説明を省略する。
【００８４】
以上説明したように、本実施形態によれば、アダプタ装置２００は、ＤＶＤプレーヤ１００からのＴＭＤＳ信号、ＤＤＣ下り信号及びＣＥＣ下り信号を、アダプタ装置３００に無線送信する一方、アダプタ装置３００からのＤＤＣ上り信号及びＣＥＣ上り信号を無線受信でき、アダプタ装置３００は、ＰＤＰ装置４００からのＤＤＣ上り信号及びＣＥＣ上り信号をアダプタ装置２００に無線送信する一方、アダプタ装置２００からのＴＭＤＳ信号、ＤＤＣ下り信号及びＣＥＣ下り信号を、無線受信できる。従って、ＤＶＤプレーヤ１００によって発生されたＴＭＤＳ信号、ＤＤＣ下り信号及びＣＥＣ下り信号を、アダプタ装置２００及び３００を介してＰＤＰ装置４００に無線伝送する一方、ＰＤＰ装置４００によって発生されたＤＤＣ上り信号及びＣＥＣ上り信号を、アダプタ装置３００及び２００を介してＤＶＤプレーヤ１００に無線伝送できる。すなわち、ＤＶＤプレーヤ１００とＰＤＰ装置４００との間の接続を無線伝送で接続することにより、当該接続をＨＤＭＩケーブルを用いることなく実現して、従来技術に比較して簡単化できる。これにより、アダプタ装置２００に接続されるＤＶＤプレーヤ１００及びアダプタ装置３００に接続されるＰＤＰ装置４００の設置場所の自由度を高めることができる。
【００８５】
第２の実施形態．
図９は、本発明の第２の実施形態に係るＤＶＤプレーヤ１００と、アダプタ装置２００Ａ及び３００Ａと、ＰＤＰ装置４００とを含む無線伝送システムの構成を示すブロック図である。また、図１０は、図９のＤＶＤプレーヤ１００及びアダプタ装置２００Ａの構成を示すブロック図であり、図１１は、図９のアダプタ装置３００Ａ及びＰＤＰ装置４００の構成を示すブロック図である。さらに、図１２は、図９の無線伝送システムの周波数スペクトラムを示す図である。第２の実施形態に係る無線伝送システムは、第１の実施形態に係る無線伝送システムに比較して、ＴＭＤＳ信号、ＤＤＣ下り信号及びＣＥＣ下り信号と、ＤＤＣ上り信号及びＣＥＣ上り信号とを、アダプタ装置２００Ａとアダプタ装置３００Ａとの間で、互いに異なる無線チャンネルを用いて無線伝送したことを特徴とする。以下、第１の実施形態との相違点を詳述する。
【００８６】
図９において、ＤＶＤプレーヤ１００は、ＨＤＭＩケーブル５０１を介してアダプタ装置２００Ａに接続される。また、アダプタ装置２００Ａとアダプタ装置３００Ａとは、アダプタ装置２００Ａのアンテナ２４及び３１及びアダプタ装置３００Ａのアンテナ５４及び６１を介して互いに無線接続される。さらに、アダプタ装置３００ＡはＰＤＰ装置４００に接続される。
【００８７】
また、図９において、ＤＶＤプレーヤ１００によって発生されたＴＭＤＳ信号、ＤＤＣ下り信号及びＣＥＣ下り信号は、詳細後述するように、アダプタ装置２００Ａ、アンテナ２４及び５４、及びアダプタ装置３００Ａを介してＰＤＰ装置４００に伝送される。ここで、アンテナ２４とアンテナ５４との間の無線通信は、図１２のＴＭＤＳ／ＤＤＣ／ＣＥＣ無線チャンネル８４ａ又は８４ｂを用いて単向方式（One-Way）で行われる。また、ＰＤＰ装置４００によって発生されたＤＤＣ上り信号及びＣＥＣ上り信号はそれぞれ、アダプタ装置３００Ａ、アンテナ６１及び３１、及びアダプタ装置２００Ａを介してＤＶＤプレーヤ１００に伝送される。ここで、アンテナ３１とアンテナ６１との間の無線通信は、図１２のＤＤＣ／ＣＥＣ無線上りチャンネル８３を用いて単向方式（One-Way）で行われる。なお、ＤＤＣ／ＣＥＣ無線上りチャンネル８３とＴＭＤＳ／ＤＤＣ／ＣＥＣ無線チャンネル８４ａ及び８４ｂとは互いに周波数が異なるように周波数多重される。なお、これらは時分割多重されてもよい。
【００８８】
図１０において、アダプタ装置２００Ａは、コントローラ２０Ａと、ＴＭＤＳインターフェース２１と、ＴＭＤＳ多重回路３２と、変調器２２と、アンテナ２４を備えた無線送信回路２３と、ＤＤＣインターフェース２５と、ＣＥＣインターフェース２６と、バッファメモリ２８Ａを備えた時分割多重分離器２７Ａと、復調器３３と、アンテナ３１を備えた無線受信回路３４とを備えて構成される。
【００８９】
アダプタ装置２００Ａにおいて、コントローラ２０Ａは、アダプタ装置２００Ａの全体の動作及びＴＭＤＳ多重回路３２、変調器２２、無線送信回路２３、時分割多重分離器２７Ａ、復調器３３、及び無線受信回路３４の各動作を制御するためのコントローラである。
【００９０】
ＴＭＤＳインターフェース２１は、ＨＤＭＩケーブル５０１のＴＭＤＳチャンネル５０１ａを介して入力されるＴＭＤＳ信号及びＨＤＭＩケーブル５０１のＴＭＤＳチャンネル５０１ｂを介して入力されるピクセルクロック信号を受信して、受信したＴＭＤＳ信号を、受信したピクセルクロック信号に同期してシリアル・パラレル変換して、ディジタル映像信号と、ディジタル音声信号と、補助データとを発生して、ＴＭＤＳ多重回路３２に出力する。
【００９１】
また、時分割多重分離器２７Ａは、ＤＤＣインターフェース２５からのＤＤＣ下り信号及びＣＥＣインターフェース２６からのＣＥＣ下り信号を、バッファメモリ２８Ａに格納した後、時分割多重してＴＭＤＳ多重回路３２に出力する。ここで、時分割多重分離器２７Ａは、以下の場合には、ＤＤＣ下り信号をＣＥＣ下り信号よりも先にＴＭＤＳ多重回路３２に出力するように、ＤＤＣ下り信号及びＣＥＣ下り信号を時分割多重する。
（ａ）ＤＤＣ下り信号とＣＥＣ下り信号とが同時に時分割多重分離器２７Ａに入力されたとき、
（ｂ）ＤＤＣ下り信号がＥＤＩＤ情報の読み出し要求信号であるＥＤＩＤ要求信号を含むとき、及び、
（ｃ）ＤＤＣ下り信号が、ＤＶＤプレーヤ１００がＰＤＰ装置４００を認証するＨＤＣＰ認証処理の下り信号を含むとき。
【００９２】
ＴＭＤＳ多重回路３２は、ＴＭＤＳインターフェース２１からのディジタル映像信号の帰線期間の空き部分に、ディジタル音声信号及び補助データと重ならないように、時分割多重分離器２７ＡからのＤＤＣ下り信号及びＣＥＣ下り信号を含む信号を時分割多重して、変調器２２に出力する。変調器２２に出力された信号は、第１の実施形態と同容に、無線送信回路２３及びアンテナ２４を介して、図１２のＴＭＤＳ／ＤＤＣ／ＣＥＣ無線チャンネル８４ａ又は８４ｂを用いて、アダプタ装置３００に無線送信される。図１３は、図１２のＴＭＤＳ／ＤＤＣ／ＣＥＣ無線チャンネル８４ａ又は８４ｂを用いて伝送される信号の伝送フォーマットを示す図である。図１３において、ＤＤＣ無線下り信号、ＣＥＣ無線下り信号、及びＴＭＤＳ無線信号はそれぞれ、アンテナ２４から出力される信号に含まれるＤＤＣ下り信号、ＣＥＣ下り信号、及びＴＭＤＳ信号である。図１３に示すように、ＤＤＣ無線下り信号及びＣＥＣ無線下り信号は、ディジタル映像信号の帰線期間の空き部分に、ディジタル音声信号及び補助データと重ならないように時分割多重される。
【００９３】
無線受信回路３４は、コントローラ２０Ａからの受信パラメータに従って、アンテナ３１で受信した信号に対して低域周波数変換及び電力増幅などの高周波信号処理を行い、処理後の信号を復調器３３に出力する。ここで、受信パラメータは、使用するＤＤＣ／ＣＥＣ無線上りチャンネル８３のデータを含む。復調器３３は、無線受信回路３４からの信号を、Ａ／Ｄ変換した後、所定のディジタル復調方式を用いてベースバンド信号に復調し、ＤＤＣ／ＣＥＣ無線情報の分離処理を行い、処理後のベースバンド信号を時分割多重分離器２７Ａに出力する。さらに、時分割多重分離器２７Ａは、復調器３３からの信号をバッファメモリ２８Ａに格納した後、時分割多重分離して、ＤＤＣ上り信号及びＣＥＣ上り信号を発生して、ＤＤＣインターフェース２５及びＣＥＣインターフェース２６にそれぞれ出力する。
【００９４】
図１１において、アダプタ装置３００Ａは、コントローラ５０Ａと、ＴＭＤＳインターフェース５１と、ＴＭＤＳ分離回路６２と、復調器５２と、アンテナ５４を備えた無線受信回路５３と、ＤＤＣインターフェース５５と、ＣＥＣインターフェース５６と、バッファメモリ５８Ａを備えた時分割多重分離器５７Ａと、変調器６３と、アンテナ６１を備えた無線送信回路６４とを備えて構成される。
【００９５】
アダプタ装置３００Ａにおいて、コントローラ５０Ａは、アダプタ装置３００Ａの全体の動作及びＴＭＤＳ分離回路６２、復調器５２、無線受信回路５３、時分割多重分離器５７Ａ、変調器６３、及び無線送信回路６４の各動作を制御するためのコントローラである。
【００９６】
ＴＭＤＳ分離回路６２は、復調器５２から入力されるベースバンド信号から、ディジタル映像信号、ディジタル音声信号、補助データ、及びＤＤＣ下り信号とＣＥＣ下り信号とを含む信号を分離して、ディジタル映像信号、ディジタル音声信号及び補助データをＴＭＤＳインターフェース５１に出力する一方、ＤＤＣ下り信号とＣＥＣ下り信号とを含む信号を時分割多重分離器５７Ａに出力する。ＴＭＤＳインターフェース５１は、ＴＭＤＳ分離回路６２からの信号に対して信号変換やプロトコル変換を含む所定のインターフェース処理を実行して、ＴＭＤＳ信号及びピクセルクロック信号を発生して、ＨＤＭＩケーブル５０２のＴＭＤＳチャンネル５０１ａ及びＴＭＤＳクロックチャンネル５０１ｂを介してＰＤＰ装置４００にそれぞれ出力する。
【００９７】
時分割多重分離器５７Ａは、ＴＭＤＳ分離回路６２からの信号をバッファメモリ５８Ａに格納した後、時分割多重分離して、ＤＤＣ下り信号及びＣＥＣ下り信号を発生して、ＤＤＣインターフェース５５及びＣＥＣインターフェース５６にそれぞれ出力する。
【００９８】
また、時分割多重分離器５７Ａは、ＤＤＣインターフェース５５からのＤＤＣ上り信号及びＣＥＣインターフェース５６からのＣＥＣ上り信号をバッファメモリ５８Ａに格納した後、各信号間に所定のガードタイムを設けて時分割多重して変調器６３に出力する。ここで、時分割多重分離器５７Ａは、以下の場合には、ＤＤＣ上り信号をＣＥＣ上り信号よりも先に変調器６３に出力するように、ＤＤＣ上り信号及びＣＥＣ上り信号を時分割多重する。
（ａ）ＤＤＣ上り信号とＣＥＣ上り信号とが同時に時分割多重分離器５７Ａに入力されたとき、
（ｂ）ＤＤＣ上り信号がＥＤＩＤデータを含むとき、及び、
（ｃ）ＤＤＣ上り信号が、ＤＶＤプレーヤ１００がＰＤＰ装置４００を認証するＨＤＣＰ認証処理の上り信号を含むとき。
【００９９】
変調器６３は、時分割多重分離器５７Ａからの信号と、コントローラ５０ＡからのＤＤＣ／ＣＥＣ無線情報とを多重化してベースバンド信号を発生し、ベースバンド信号に従って、無線搬送波を所定のディジタル変調方式を用いてディジタル変調した後、Ｄ／Ａ変換して無線送信回路６４に出力する。ここで、ＤＤＣ／ＣＥＣ無線情報は、アダプタ装置２００Ａ及びアダプタ装置３００Ａの各ＭＡＣアドレス及びＤＤＣ上り信号とＣＥＣ上り信号とを識別するための識別情報を含む。
【０１００】
無線送信回路６４は、コントローラ５０Ａからの送信パラメータに従って、変調器６３からの信号に対して高域周波数変換及び電力増幅などの高周波信号処理を行い、処理後の無線送信信号をアンテナ６１を介してアダプタ装置３００Ａに無線送信する。ここで、送信パラメータは、使用するＤＤＣ／ＣＥＣ無線上りチャンネル８３のデータを含む。
【０１０１】
図１４は、図１２のＤＤＣ／ＣＥＣ無線上りチャンネル８３を用いて伝送される信号のタイミングを示すタイミングチャートである。図１４において、ＤＤＣ無線上り信号９８及びＣＥＣ無線上り信号９９はそれぞれ、アンテナ６１から出力される信号に含まれるＤＤＣ上り信号及びＣＥＣ上り信号である。図１４に示すように、アダプタ装置３００Ａは、ＤＤＣ上り信号９８及びＣＥＣ無線上り信号９９を、互いに所定のガードタイムを設けて、アダプタ装置２００Ａに無線伝送する。
【０１０２】
なお、第２の実施形態に係る無線伝送システムは、図８の動作例と同様に動作する。このとき、アダプタ装置２００Ａとアダプタ装置３００Ａとの間で、各下り信号はアンテナ２４及び５４を介して伝送される一方、各上り信号はアンテナ６１及び３１を介して伝送される。
【０１０３】
第２の実施形態に係る無線伝送システムは、第１の実施形態に係る無線伝送システムと同様の効果を奏する。また、ＴＭＤＳ信号、ＤＤＣ下り信号及びＣＥＣ下り信号をＴＭＤＳ／ＤＤＣ／ＣＥＣ無線チャンネル８４ａ又は８４ｂを用いて無線伝送する一方、ＤＤＣ上り信号及びＣＥＣ上り信号をＤＤＣ／ＣＥＣ無線上りチャンネル８３を用いて無線伝送したので、第１の実施形態に係るＤＤＣ／ＣＥＣ無線チャンネル８２においてＤＤＣ上り信号及びＣＥＣ上り信号のみを、より大きな伝送容量で無線伝送できる。さらに、ＤＤＣ下り信号及びＣＥＣ下り信号をディジタル映像信号の帰線期間にディジタル音声信号及び上記補助データと重ならないように多重化することにより、ＴＭＤＳ信号、ＤＤＣ下り信号及びＣＥＣ下り信号を時分割多重するので、ＴＭＤＳ無線チャンネル８１ａ又は８１ｂと同じ伝送容量を有するＴＭＤＳ／ＤＤＣ／ＣＥＣ無線チャンネル８４ａ又は８４ｂを用いて、ＤＤＣ下り信号及びＣＥＣ下り信号を挿入して無線伝送できる。
【０１０４】
上記の各実施形態において、別のアンテナ２４及び３１を使用したが、本発明はこれに限らず、アンテナ２４とアンテナ３１とを共用してもよい。また、上記の各実施形態において、別のアンテナ５４及び６１を使用したが、本発明はこれに限らず、アンテナ５４とアンテナ６１とを共用してもよい。
【０１０５】
さらに、上記の各実施形態において、コントローラ２０及び２０Ａは、ＴＭＤＳ無線テスト信号及びＤＤＣ／ＣＥＣ無線テスト信号をアダプタ装置３００又は３００Ａで受信したときのＢＥＲに基づいて、ＴＭＤＳ無線テスト信号及びＤＤＣ／ＣＥＣ無線テスト信号のアダプタ装置３００又は３００Ａでの受信状態を判断したが、本発明はこれに限らず、ＴＭＤＳ無線テスト信号及びＤＤＣ／ＣＥＣ無線テスト信号をアダプタ装置３００又は３００Ａで受信したときのＳ／Ｎ（Signal to Noise Ratio）を用いてもよい。なお、上記の各実施形態において、各ＨＤＭＩケーブル５０１及び５０２に含まれる５Ｖ信号ラインと、グランドラインとを省略した。
【産業上の利用可能性】
【０１０６】
以上詳述したように、第１の発明に係る第１の無線通信装置によれば、ＴＭＤＳ信号を第１の無線チャンネルを用いて第１の無線信号として無線送信する第１の無線通信手段と、ＤＤＣ下り信号及びＣＥＣ下り信号を、第２の無線チャンネルを用いて第２の無線信号として無線送信する一方、ＤＤＣ上り信号及びＣＥＣ上り信号を含む第３の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。
【０１０７】
また、第２の発明に係る第２の無線通信装置によれば、ＴＭＤＳ信号を第１の無線チャンネルを用いて第１の無線信号として受信する第３の無線通信手段と、ＤＤＣ下り信号及びＣＥＣ下り信号を含む第２の無線信号を、第２の無線チャンネルを用いて受信する一方、ＤＤＣ上り信号及びＣＥＣ上り信号を、第２の無線チャンネルを用いて第３の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。
【０１０８】
さらに、第３の発明に係る第１の無線通信装置によれば、ＴＭＤＳ信号、ＤＤＣ下り信号及びＣＥＣ下り信号を第１の無線チャンネルを用いて第１の無線信号として無線送信する第１の無線通信手段と、ＤＤＣ上り信号及びＣＥＣ上り信号を含む第２の無線信号を第２の無線チャンネルを用いて受信する第２の無線通信手段とを備える。従って、ＨＤＭＩソース装置によって発生されたＴＭＤＳ信号、ＤＤＣ下り信号、ＣＥＣ下り信号を無線送信する一方、ＤＤＣ上り信号及びＣＥＣ上り信号を無線受信してＨＤＭＩソース装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置の設置場所の自由度を高めることができる。
【０１０９】
またさらに、第４の発明に係る第２の無線通信装置によれば、ＴＭＤＳ信号、ＤＤＣ下り信号及びＣＥＣ下り信号を含む第１の無線信号を、第１の無線チャンネルを用いて受信する第３の無線通信手段と、ＤＤＣ上り信号及びＣＥＣ上り信号を第２の無線チャンネルを用いて第２の無線信号として無線送信する第４の無線通信手段とを備える。従って、ＨＤＭＩシンク装置によって発生されたＤＤＣ上り信号及びＣＥＣ上り信号を無線送信する一方、ＴＭＤＳ信号、ＤＤＣ下り信号、ＣＥＣ下り信号を無線受信してＨＤＭＩシンク装置に出力できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第２の無線通信装置に接続されるＨＤＭＩシンク装置の設置場所の自由度を高めることができる。
【０１１０】
さらに、第５の発明に係る無線伝送システムによれば、上記の第１の発明に係る第１の無線通信装置及び第２の発明に係る第２の無線通信装置を備える。従って、第１の無線通信装置をＨＤＭＩソース装置に接続し、第２の無線通信装置をＨＤＭＩシンク装置に接続することにより、ＨＤＭＩソース装置によって発生されたＤＤＣ下り信号及びＣＥＣ下り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。
【０１１１】
さらに、第６の発明に係る無線伝送システムによれば、上記の第３の発明に係る第１の無線通信装置及び第４の発明に係る第２の無線通信装置を備える。従って、第１の無線通信装置をＨＤＭＩソース装置に接続し、第２の無線通信装置をＨＤＭＩシンク装置に接続することにより、ＨＤＭＩソース装置によって発生されたＤＤＣ下り信号及びＣＥＣ下り信号をＨＤＭＩシンク装置に無線送信する一方、ＨＤＭＩシンク装置によって発生されたＤＤＣ上り信号及びＣＥＣ上り信号をＨＤＭＩソース装置に無線送信できる。すなわち、ＨＤＭＩソース装置とＨＤＭＩシンク装置との間の接続を無線伝送で接続することにより、当該接続をＨＤＭＩケーブルを用いることなく実現して、従来技術に比較して簡単化できる。これにより、上記第１の無線通信装置に接続されるＨＤＭＩソース装置及び上記第２の無線通信装置に接続されるＨＤＭＩシンク装置の設置場所の自由度を高めることができる。
【図面の簡単な説明】
【０１１２】
【図１】本発明の第１の実施形態に係るＤＶＤプレーヤ１００と、アダプタ装置２００及び３００と、ＰＤＰ装置４００とを含む無線伝送システムの構成を示すブロック図である。
【図２】図１のＤＶＤプレーヤ１００及びアダプタ装置２００の構成を示すブロック図である。
【図３】図１のアダプタ装置３００及びＰＤＰ装置４００の構成を示すブロック図である。
【図４】図１の無線伝送システムの周波数スペクトラムを示す図である。
【図５】図４のＴＭＤＳ無線チャンネル８１ａ又は８１ｂを用いて伝送される信号のタイミングを示すタイミングチャートである。
【図６】図４のＤＤＣ／ＣＥＣ無線チャンネル８２を用いて伝送される信号のタイミングを示すタイミングチャートである。
【図７】図１の無線伝送システムの第１の動作例を示すシーケンス図である。
【図８】図１の無線伝送システムの第２の動作例を示すシーケンス図である。
【図９】本発明の第２の実施形態に係るＤＶＤプレーヤ１００と、アダプタ装置２００Ａ及び３００Ａと、ＰＤＰ装置４００とを含む無線伝送システムの構成を示すブロック図である。
【図１０】図９のＤＶＤプレーヤ１００及びアダプタ装置２００Ａの構成を示すブロック図である。
【図１１】図９のアダプタ装置３００Ａ及びＰＤＰ装置４００の構成を示すブロック図である。
【図１２】図９の無線伝送システムの周波数スペクトラムを示す図である。
【図１３】図１２のＴＭＤＳ／ＤＤＣ／ＣＥＣ無線チャンネル８４ａ又は８４ｂを用いて伝送される信号の伝送フォーマットを示す図である。
【図１４】図１２のＤＤＣ／ＣＥＣ無線上りチャンネル８３を用いて伝送される信号のタイミングを示すタイミングチャートである。
【符号の説明】
【０１１３】
２０，２０Ａ，５０，５０Ａ…コントローラ、
２１，５１…ＴＭＤＳインターフェース、
２２，６３…変調器、
２３，６４…無線送信回路、
２４，３１，５４，６１…アンテナ、
２５，５５…ＤＤＣインターフェース、
２６，５６…ＣＥＣインターフェース、
２７，２７Ａ，５７，５７Ａ…時分割多重分離器、
２８，２８Ａ，５８，５８Ａ…バッファメモリ、
２９，５９…変復調器、
３０，６０…無線通信回路、
３２…ＴＭＤＳ多重回路、
３３，５２…復調器、
３４，５３…無線受信回路、
６２…ＴＭＤＳ分離回路、
８１ａ，８１ｂ…ＴＭＤＳ無線チャンネル、
８２…ＤＤＣ／ＣＥＣ無線チャンネル、
１００…ＤＶＤプレーヤ、
１１０…コントローラ、
１１１…ＨＤＣＰ認証レジスタ、
１１２…デコーダ、
１１３…ＤＶＤドライブ、
１１４…ＤＶＤ、
１１５…インターフェース、
２００，２００Ａ，３００，３００Ａ…アダプタ装置、
４００…ＰＤＰ装置、
４１０…コントローラ、
４１１…ＣＰＵ、
４１２…ＲＡＭ、
４１３…ＲＯＭ、
４１４…ＥＤＩＤメモリ、
４１５…バス、
４５０…インターフェース、
４５１…映像信号処理回路、
４５２…ディスプレイ、
４５３…音声信号処理回路、
４５４…スピーカ、
５０１，５０２…ＨＤＭＩケーブル、
５０１ａ，５０２ａ…ＴＭＤＳチャンネル、
５０１ｂ，５０２ｂ…ＴＭＤＳクロックチャンネル、
５０１ｃ，５０２ｃ…ＤＤＣチャンネル、
５０１ｄ，５０２ｄ…ＣＥＣライン、
５０１ｅ，５０２ｅ…ＨＰＤライン。
【手続補正３】
【補正対象書類名】図面
【補正対象項目名】全図
【補正方法】変更
【補正の内容】
【図１】
2007037379.tif 000017
【図２】
2007037379.tif 000018
【図３】
2007037379.tif 000019
【図４】
2007037379.tif 000020
【図５】
2007037379.tif 000021
【図６】
2007037379.tif 000022
【図７】
2007037379.tif 000023
【図８】
2007037379.tif 000024
【図９】
2007037379.tif 000025
【図１０】
2007037379.tif 000026
【図１１】
2007037379.tif 000027
【図１２】
2007037379.tif 000028
【図１３】
2007037379.tif 000029
【図１４】
2007037379.tif 000030
【国際調査報告】
2007037379.tif 000031
2007037379.tif 000032
2007037379.tif 000033
2007037379.tif 000034